(57)【特許請求の範囲】
【請求項１】
アップリンク参照信号送信方法であって、
ユーザ端末により、第１上位層シグナリングに従って、アップリンク参照信号位置を判定するステップであって、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置される、ステップと、
前記ユーザ端末により、前記アップリンク参照信号位置において、第２上位層シグナリングか、又は受信された物理チャネルの第１制御情報に従って、前記ユーザ端末に対応するアップリンク参照信号シンボルグループを判定するステップであって、前記第２上位層シグナリング又は前記第１制御情報は、前記ユーザ端末に対応する前記アップリンク参照信号シンボルグループの指示情報を具備する、ステップと、
前記ユーザ端末により、前記ユーザ端末に対応する前記アップリンク参照信号シンボルグループの時間単位におけるアップリンク参照信号を送信するステップと、
を具備することを特徴とするアップリンク参照信号送信方法。
【請求項２】
複数の時間単位における２つの単位時間の間のすべてに少なくとも１つの時間単位の時間間隔が存在することを特徴とする請求項１に記載の方法。
【請求項３】
前記アップリンク参照信号位置は、少なくとも１つのアップリンク参照信号サブキャリアグループをさらに具備し、各アップリンク参照信号サブキャリアグループは、少なくとも１２のアップリンクサブキャリアを具備し、
前記ユーザ端末により、前記ユーザ端末に対応する前記アップリンク参照信号シンボルグループの時間単位におけるアップリンク参照信号を送信する前記ステップの前に、前記方法は、
前記ユーザ端末により、前記アップリンク参照信号位置において、前記第２上位層シグナリングか、又は前記第１制御情報に従って、前記ユーザ端末に対応する前記アップリンク参照信号シンボルグループと、前記ユーザ端末に対応するアップリンク参照信号サブキャリアグループとを判定するステップであって、前記第２上位層シグナリング又は前記第１制御情報は、前記ユーザ端末に対応する前記アップリンク参照信号サブキャリアグループの指示情報をさらに具備する、ステップ
をさらに具備し、
前記ユーザ端末により、前記ユーザ端末に対応する前記アップリンク参照信号シンボルグループの時間単位におけるアップリンク参照信号を送信する前記ステップは、
前記ユーザ端末により、周波数領域において前記ユーザ端末に対応する前記アップリンク参照信号サブキャリアグループのサブキャリアで、時間領域において前記ユーザ端末に対応する前記アップリンク参照信号シンボルグループの前記時間単位で前記アップリンク参照信号を送信するステップ
を具備することを特徴とする請求項１又は２に記載の方法。
【請求項４】
少なくとも１つのサブキャリアの周波数間隔が、前記少なくとも１２のアップリンクサブキャリアにおける２つのサブキャリア間のすべてに存在することを特徴とする請求項３に記載の方法。
【請求項５】
ユーザ端末により、第１上位層シグナリングに従って、アップリンク参照信号位置を判定する前記ステップは、
前記ユーザ端末により、前記第１上位層シグナリングに従って、アップリンク参照信号位置情報を判定するステップであって、前記アップリンク参照信号位置情報は、周波数領域位置情報を具備する、ステップと、
前記ユーザ端末により、前記周波数領域位置情報に従って、プリセット時間スロット又はサブフレームにおける前記アップリンク参照信号位置を判定するステップと、
を具備することを特徴とする請求項１から４のいずれか一項に記載の方法。
【請求項６】
ユーザ端末により、第１上位層シグナリングに従って、アップリンク参照信号位置を判定する前記ステップは、
前記ユーザ端末により、前記第１上位層シグナリングに従って、アップリンク参照信号位置情報を判定するステップであって、前記アップリンク参照信号位置情報は、時間領域位置情報と周波数領域位置情報とを具備する、ステップと、
前記ユーザ端末により、前記周波数領域位置情報及び前記時間領域位置情報に従って、前記アップリンク参照信号位置を判定するステップと、
を具備することを特徴とする請求項１から４のいずれか一項に記載の方法。
【請求項７】
アップリンク参照信号送信方法であって、
基地局により、第１上位層シグナリングをユーザ端末に送信するステップであって、前記第１上位層シグナリングは、アップリンク参照信号位置を判定するために前記ユーザ端末により使用され、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置される、ステップと、
前記基地局により、第２上位層シグナリングを前記ユーザ端末に送信するステップか、又は物理チャネルを使用して、第１制御情報を前記ユーザ端末に送信するステップであって、前記第２上位層シグナリング又は前記第１制御情報は、前記ユーザ端末に対応するアップリンク参照信号シンボルグループの指示情報を具備し、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用される、ステップと、
前記基地局により、前記ユーザ端末に対応する前記アップリンク参照信号シンボルグループの時間単位において前記ユーザ端末により送信されたアップリンク参照信号を受信するステップと、
を具備することを特徴とするアップリンク参照信号送信方法。
【請求項８】
前記アップリンク参照信号位置は、少なくとも１つのアップリンク参照信号サブキャリアグループを具備し、各アップリンク参照信号サブキャリアグループは、少なくとも１２のアップリンクサブキャリアを具備し、
前記第２上位層シグナリング又は前記第１制御情報は、前記ユーザ端末に対応するアップリンク参照信号サブキャリアグループの指示情報をさらに具備し、前記ユーザ端末に対応する前記アップリンク参照信号サブキャリアグループの前記指示情報は、前記ユーザ端末に、前記アップリンク参照信号位置において、前記ユーザ端末に対応する前記アップリンク参照信号サブキャリアグループを判定するように指示するために使用され、
前記基地局により、前記ユーザ端末に対応する前記アップリンク参照信号シンボルグループの時間単位において前記ユーザ端末により送信されたアップリンク参照信号を受信する前記ステップは、
周波数領域において前記ユーザ端末に対応する前記アップリンク参照信号サブキャリアグループのサブキャリアで、時間領域において前記ユーザ端末に対応する前記アップリンク参照信号シンボルグループの前記時間単位で前記ユーザ端末により送信された前記アップリンク参照信号を、前記基地局により受信するステップ
を具備することを特徴とする請求項７に記載の方法。
【請求項９】
前記少なくとも１２のサブキャリアの内の２つのサブキャリアごとに少なくとも１つのサブキャリアの周波数間隔が存在することを特徴とする請求項８に記載の方法。
【請求項１０】
前記第１上位層シグナリングは、アップリンク参照信号位置情報を具備し、前記アップリンク参照信号位置情報は、周波数領域位置情報を具備し、
前記周波数領域位置情報は、前記ユーザ端末によりプリセット時間スロット又はサブフレームにおける前記アップリンク参照信号位置を判定するために使用されることを特徴とする請求項７から９のいずれか一項に記載の方法。
【請求項１１】
前記第１上位層シグナリングは、アップリンク参照信号位置情報を具備し、前記アップリンク参照信号位置情報は、時間領域位置情報と周波数領域位置情報とを具備し、
前記時間領域位置情報と前記周波数領域位置情報は、前記ユーザ端末により前記アップリンク参照信号位置を判定するために使用されることを特徴とする請求項７から９のいずれか一項に記載の方法。
【請求項１２】
前記方法は、
前記基地局により、Ｘ２インターフェースを使用して、前記アップリンク参照信号位置情報を別の基地局に送信するステップであって、前記アップリンク参照信号位置情報は、前記基地局の前記アップリンク参照信号位置とは異なる前記別の基地局のアップリンク参照信号位置を作成するために使用される、ステップをさらに具備することを特徴とする請求項１０又は１１に記載の方法。
【請求項１３】
ユーザ端末であって、
第１上位層シグナリングに従って、アップリンク参照信号位置を判定し、第２上位層シグナリングか、又は受信された物理チャネルの第１制御情報に従って、前記アップリンク参照信号位置において、前記ユーザ端末に対応するアップリンク参照信号シンボルグループを判定するように構成されている判定モジュールであって、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置され、前記第２上位層シグナリング又は前記第１制御情報は、前記ユーザ端末に対応する前記アップリンク参照信号シンボルグループの指示情報を具備する、判定モジュールと、
前記ユーザ端末に対応する前記アップリンク参照信号シンボルグループの時間単位においてアップリンク参照信号を送信するように構成されている送信モジュールと、
を具備することを特徴とするユーザ端末。
【請求項１４】
前記アップリンク参照信号位置は、少なくとも１つのアップリンク参照信号サブキャリアグループをさらに具備し、各アップリンク参照信号サブキャリアグループは、少なくとも１２のアップリンクサブキャリアを具備し、
前記判定モジュールは、前記第２上位層シグナリング又は前記第１制御情報に従って前記アップリンク参照信号位置において、前記ユーザ端末に対応する前記アップリンク参照信号シンボルグループと、前記ユーザ端末に対応するアップリンク参照信号サブキャリアグループとを判定するようにさらに構成され、前記第２上位層シグナリング又は前記第１制御情報は、前記ユーザ端末に対応する前記アップリンク参照信号サブキャリアグループの指示情報をさらに具備し、
前記送信モジュールは、周波数領域において前記ユーザ端末に対応する前記アップリンク参照信号サブキャリアグループのサブキャリアで、時間領域において前記ユーザ端末に対応する前記アップリンク参照信号シンボルグループの前記時間単位で前記アップリンク参照信号を送信するように特に構成されていることを特徴とする請求項１３に記載のユーザ端末。
【請求項１５】
基地局であって、
第１上位層シグナリングをユーザ端末に送信し、第２上位層シグナリングを前記ユーザ端末に送信するか、又は物理チャネルを使用して第１制御情報を前記ユーザ端末に送信するように構成されている送信モジュールであって、前記第１上位層シグナリングは、アップリンク参照信号位置を判定するために前記ユーザ端末により使用され、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置され、前記第２上位層シグナリング又は前記第１制御情報は、前記ユーザ端末に対応するアップリンク参照信号シンボルグループの指示情報を具備し、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用される、送信モジュールと、
前記ユーザ端末に対応する前記アップリンク参照信号シンボルグループの時間単位において、前記ユーザ端末により送信されたアップリンク参照信号を受信するように構成されている受信モジュールと、
を具備することを特徴とする基地局。
【請求項１６】
プロセッサを具備する通信デバイスであって、
前記プロセッサは、非一時的メモリに結合され、前記メモリは実行命令を格納し、前記プロセッサが前記実行命令を実行するとデバイスが以下のステップ：
第１上位層シグナリングに従って、アップリンク参照信号位置を判定するステップであって、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置される、ステップと、
前記アップリンク参照信号位置において、第２上位層シグナリングか、又は受信された物理チャネルの第１制御情報に従って、ユーザ端末に対応するアップリンク参照信号シンボルグループを判定するステップであって、前記第２上位層シグナリング又は前記第１制御情報は、前記ユーザ端末に対応する前記アップリンク参照信号シンボルグループの指示情報を具備する、ステップと、
前記ユーザ端末に対応する前記アップリンク参照信号シンボルグループの時間単位におけるアップリンク参照信号を送信するステップと、
を実行することを可能にすることを特徴とする通信デバイス。
【請求項１７】
プロセッサを具備するネットワークデバイスであって、
前記プロセッサは、非一時的メモリに結合され、前記メモリは実行命令を格納し、前記プロセッサが前記実行命令を実行するとデバイスが以下のステップ：
第１上位層シグナリングをユーザ端末に送信するステップであって、前記第１上位層シグナリングは、アップリンク参照信号位置を判定するために前記ユーザ端末により使用され、前記アップリンク参照信号位置は、少なくとも２つのアップリンク参照信号シンボルグループを具備し、各アップリンク参照信号シンボルグループは、少なくとも２つの時間単位を具備し、各アップリンク参照信号シンボルグループ内の時間単位は、他のアップリンク参照信号シンボルグループにおいて使用される間隔と同じ間隔で配置される、ステップと、
第２上位層シグナリングを前記ユーザ端末に送信するステップか、又は物理チャネルを使用して、第１制御情報を前記ユーザ端末に送信するステップであって、前記第２上位層シグナリング又は前記第１制御情報は、前記ユーザ端末に対応するアップリンク参照信号シンボルグループの指示情報を具備し、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用される、ステップと、
前記ユーザ端末に対応する前記アップリンク参照信号シンボルグループの時間単位において前記ユーザ端末により送信されたアップリンク参照信号を受信するステップと、
を実行することを可能にすることを特徴とするネットワークデバイス。
【請求項１８】
コンピュータデバイスに、請求項１から１２のいずれか一項に記載のステップを実行させるためのプログラム。
【請求項１９】
プログラムを格納するコンピュータ可読記憶媒体であって、
プロセッサにより前記プログラムが実行されると請求項１から１２のいずれか一項のステップが実行されることを特徴とするコンピュータ可読記憶媒体。
【発明の詳細な説明】
【技術分野】
【０００１】
本発明の実施形態は、通信技術に関連し、より詳しくは、アップリンク参照信号送信方法、ユーザ端末、及び基地局に関する。
【背景技術】
【０００２】
無線通信技術の急速な発展に伴い、ユーザはデータ伝送速度に対するより高い要求を有する。ロング・ターム・レボリューション(Long Term Evolution, 略してLTE)通信技術は、ユーザの増加する伝送要求を満たすために、高速低遅延フラットネットワークアーキテクチャを使用して、高速データネットワークを提供可能である。
【０００３】
現在のＬＴＥシステムでは、ユーザ端末は、送信時間間隔(Transmission Time Interval, 略してTTI)内にアップリンク参照信号を基地局に送信し得る。前記基地局は、チャネルサウンディングの結果に従って前記ユーザ端末をスケジューリングし、又は周波数オフセット推定の結果に従って前記ユーザ端末のアップリンクデータの周波数のキャリブレーションを行い、その後キャリブレートされた周波数と前記チャネル推定の結果に従って、前記ユーザ端末により送信されたデータを受信するために、前記ユーザ端末により送信された前記アップリンク参照信号に従って、前記ユーザ端末のためのチャネルサウンディング、チャネル推定、又は周波数オフセット推定を実施し得る。現在のＬＴＥシステムにおけるＴＴＩは１ｍｓである。ＴＴＩは、より短いラウンドトリップ時間及びより短いデータ伝送遅延を実現するために低減されてもよい。、前記基地局が前記ユーザ端末により送信されたデータを正常に受信すること、及び／又は前記基地局が前記ユーザ端末を正常にスケジューリングすることを保証するために、ＴＴＩが低減されるならば、前記ユーザ端末は、十分なアップリンク参照信号を前記基地局に送信する必要がある。すなわち、ＴＴＩ内に、前記ユーザ端末は、前記アップリンク参照信号を送信するために十分なリソースを有する必要がある。
【０００４】
しかし、ＴＴＩが低減される場合、前記ユーザ端末が十分なアップリンク参照信号を送信することを保証することは、ＴＴＩ内のユーザ端末によるデータ送信の容量を減少させ、データ送信の効率を低下させ、システムのアップリンク容量を減少させる。
【発明の概要】
【課題を解決するための手段】
【０００５】
本発明の実施形態は、基地局によりサポートされるユーザ端末の数が制限され、通信システムの容量が制限されるという問題を解消するアップリンク参照信号送信方法、ユーザ端末、及び基地局を提供する。
【０００６】
第１の態様によると、本発明の実施形態は、アップリンク参照信号送信方法を提供し、
ユーザ端末により、第１上位層シグナリングに従って、アップリンク参照信号位置を判定するステップであって、前記アップリンク参照信号位置は、少なくとも１つのアップリンク参照信号シンボルグループを含み、各アップリンク参照信号シンボルグループは、少なくとも１つの時間単位を含む、ステップと、
前記ユーザ端末により、前記アップリンク参照信号位置において、第２上位層シグナリングか、又は受信された物理チャネルの第１制御情報に従って、前記ユーザ端末に対応するアップリンク参照信号シンボルグループを判定するステップであって、前記第２上位層シグナリング又は前記第１制御情報は、前記ユーザ端末に対応する前記アップリンク参照信号シンボルグループの指示情報を含む、ステップと、
前記ユーザ端末により、前記ユーザ端末に対応する前記アップリンク参照信号シンボルグループの時間単位におけるアップリンク参照信号を送信するステップと、
を含む。
【０００７】
第１の態様によると、第１の態様の第１の可能な実装において、アップリンク参照信号シンボルグループのそれぞれが複数の時間単位を含んでいる場合には、前記複数の時間単位における２つの単位時間の間のすべてに少なくとも１つの時間単位の時間間隔が存在する。
【０００８】
第１の態様又は第１の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【０００９】
第１の態様又は第１の態様の第１の可能な実装によると、第３の可能な実装において、前記時間単位は、プリセット時間間隔内の時間単位を含み、前記プリセット時間間隔は、ガード期間を含む。
【００１０】
第１の態様から第１の態様の第３の可能な実装のいずれか１つによると、第４の可能な実装において、前記アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
前記ユーザ端末により、前記ユーザ端末に対応する前記アップリンク参照信号シンボルグループの時間単位におけるアップリンク参照信号を送信する前記ステップの前に、前記方法は、
前記ユーザ端末により、前記アップリンク参照信号位置において、前記第２上位層シグナリングか、又は前記第１制御情報に従って、前記ユーザ端末に対応する前記アップリンク参照信号シンボルグループと、前記ユーザ端末に対応するアップリンク参照信号サブキャリアグループとを判定するステップであって、前記第２上位層シグナリング又は前記第１制御情報は、前記ユーザ端末に対応する前記アップリンク参照信号サブキャリアグループの指示情報をさらに含む、ステップをさらに含み、
前記ユーザ端末により、前記ユーザ端末に対応する前記アップリンク参照信号シンボルグループの時間単位におけるアップリンク参照信号を送信する前記ステップは、
前記ユーザ端末により、周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記アップリンク参照信号を送信するステップを含む。
【００１１】
第１の態様の第４の可能な実装によると、第５の可能な実装において、少なくとも１つのサブキャリアの周波数間隔が、前記少なくとも１２のアップリンクサブキャリアにおける２つのサブキャリア間のすべてに存在する。
【００１２】
第１の態様から第１の態様の第５の可能な実装のいずれか１つによると、第６の可能な実装において、ユーザ端末により、第１上位層シグナリングに従って、アップリンク参照信号位置を判定する前記ステップは、
前記ユーザ端末により、前記第１上位層シグナリングに従って、アップリンク参照信号位置情報を判定するステップであって、前記アップリンク参照信号位置情報は、周波数領域位置情報を含む、ステップと、
前記ユーザ端末により、前記周波数領域位置情報に従って、プリセット時間スロット又はサブフレームにおける前記アップリンク参照信号位置を判定するステップと、
を含む。
【００１３】
第１の態様から第１の態様の第５の可能な実装のいずれか１つによると、第７の可能な実装において、ユーザ端末により、第１上位層シグナリングに従って、アップリンク参照信号位置を判定する前記ステップは、
前記ユーザ端末により、前記第１上位層シグナリングに従って、アップリンク参照信号位置情報を判定するステップであって、前記アップリンク参照信号位置情報は、時間領域位置情報と、周波数領域位置情報とを含む、ステップと、
前記ユーザ端末により、前記周波数領域位置情報及び前記時間領域位置情報に従って、前記アップリンク参照信号位置を判定するステップと、
を含む。
【００１４】
第１の態様から第１の態様の第７の可能な実装のいずれか１つによると、第８の可能な実装において、前記ユーザ端末により、前記ユーザ端末に対応する前記アップリンク参照信号シンボルグループの時間単位におけるアップリンク参照信号を送信する前記ステップの前に、前記方法は、
前記ユーザ端末により、第３上位層シグナリング、又は受信された前記物理チャネルの第２制御情報に従って、前記ユーザ端末に対応する少なくとも１つのコードワード・シーケンスを判定するステップであって、前記第３上位層シグナリング又は前記第２制御情報は、前記ユーザ端末に対応する前記コードワード・シーケンスの指示情報を含む、ステップをさらに含み、
これに対応して、前記ユーザ端末により、前記ユーザ端末に対応する前記アップリンク参照信号シンボルグループの時間単位におけるアップリンク参照信号を送信する前記ステップは、
前記ユーザ端末により、前記ユーザ端末に対応する前記少なくとも１つのコードワード・シーケンスを使用して、前記ユーザ端末に対応する前記アップリンク参照信号シンボルグループの前記時間単位における前記アップリンク参照信号を送信するステップを含む。
【００１５】
第１の態様から第１の態様の第８の可能な実装のいずれか１つによると、第９の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００１６】
第１の態様から第１の態様の第９の可能な実装のいずれか１つによると、第１０の可能な実装において、
前記アップリンク参照信号は、復調参照信号ＤＭ−ＲＳ及び／又はサウンディング参照信号ＳＲＳを含む。
【００１７】
第２の態様によると、本発明の実施形態は、アップリンク参照信号送信方法をさらに提供し、
基地局により、第１上位層シグナリングをユーザ端末に送信するステップであって、前記第１上位層シグナリングは、アップリンク参照信号位置を判定するために前記ユーザ端末により使用され、前記アップリンク参照信号位置は、少なくとも１つのアップリンク参照信号シンボルグループを含み、アップリンク参照信号シンボルグループのそれぞれは、少なくとも１つの時間単位を含む、ステップと、
前記基地局により、第２上位層シグナリングを前記ユーザ端末に送信するステップか、又は物理チャネルを使用して、第１制御情報を前記ユーザ端末に送信するステップであって、前記第２上位層シグナリング又は前記第１制御情報は、前記ユーザ端末に対応するアップリンク参照信号シンボルグループの指示情報を含み、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用される、ステップと、
前記基地局により、前記ユーザ端末に対応する前記アップリンク参照信号シンボルグループの時間単位において前記ユーザ端末により送信されたアップリンク参照信号を受信するステップと、
を含む。
【００１８】
第２の態様によると、第２の態様の第１の可能な実装において、アップリンク参照信号シンボルグループのそれぞれが複数の時間単位を含んでいる場合には、少なくとも１つのシンボルの時間間隔が、前記複数の時間単位における２つの時間単位間のすべてに存在する。
【００１９】
第２の態様又は第２の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【００２０】
第２の態様又は第２の態様の第１の可能な実装によると、第３の可能な実装において、前記時間単位は、プリセット時間間隔内の時間単位であり、前記プリセット時間間隔は、ガード期間ＧＰを含む。
【００２１】
第２の態様から第２の態様の第３の可能な実装のいずれか１つによると、第４の可能な実装において、前記アップリンク参照信号位置は、少なくとも１つのアップリンク参照信号サブキャリアグループを含み、アップリンク参照信号サブキャリアグループのそれぞれは、少なくとも１２のアップリンクサブキャリアを含み、
前記第２上位層シグナリング又は前記第１制御情報は、前記ユーザ端末に対応するアップリンク参照信号サブキャリアグループの指示情報をさらに含み、前記ユーザ端末に対応する前記アップリンク参照信号サブキャリアグループの前記指示情報は、前記ユーザ端末に、前記アップリンク参照信号位置において、前記ユーザ端末に対応する前記アップリンク参照信号サブキャリアグループを判定するように指示するために使用され、
前記基地局により、前記ユーザ端末に対応する前記アップリンク参照信号シンボルグループの時間単位において前記ユーザ端末により送信されたアップリンク参照信号を受信する前記ステップは、
周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記ユーザ端末により送信された前記アップリンク参照信号を、前記基地局により受信するステップを含む。
【００２２】
第２の態様の第４の可能な実装によると、第５の可能な実装において、前記少なくとも１２のサブキャリアの内の２つのサブキャリアごとに少なくとも１つのサブキャリアの周波数間隔が存在する。
【００２３】
第２の態様から第２の態様の第５の可能な実装のいずれか１つによると、第６の可能な実装において、前記第１上位層シグナリングは、アップリンク参照信号位置情報を含み、前記アップリンク参照信号位置情報は、周波数領域位置情報を含み、
前記周波数領域位置情報は、前記ユーザ端末によりプリセット時間スロット又はサブフレームにおける前記アップリンク参照信号位置を判定するために使用される。
【００２４】
第２の態様から第２の態様の第５の可能な実装のいずれか１つによると、第７の可能な実装において、前記第１上位層シグナリングは、アップリンク参照信号位置情報を含み、前記アップリンク参照信号位置情報は、時間領域位置情報と、周波数領域位置情報とを含み、
前記時間領域位置情報と前記周波数領域位置情報は、前記ユーザ端末により前記アップリンク参照信号位置を判定するために使用される。
【００２５】
第２の態様の第６又は第７の可能な実装によると、第８の可能な実装において、前記方法は、
前記基地局により、Ｘ２インターフェースを使用して、前記アップリンク参照信号位置情報を別の基地局に送信するステップであって、前記アップリンク参照信号位置情報は、前記基地局の前記アップリンク参照信号位置とは異なる前記別の基地局のアップリンク参照信号位置を作成するために使用される、ステップをさらに含む。
【００２６】
第２の態様から第２の態様の第８の可能な実装のいずれか１つによると、第９の可能な実装において、前記基地局により、前記ユーザ端末に対応する前記アップリンク参照信号シンボルグループの時間単位において前記ユーザ端末により送信されたアップリンク参照信号を受信する前記ステップの前に、前記方法は、
前記基地局により、第３上位層シグナリングを前記ユーザ端末に送信するステップか、又は前記物理チャネルを使用して、第２制御情報を前記ユーザ端末に送信するステップであって、前記第３上位層シグナリング又は前記第２制御情報は、前記ユーザ端末に対応するコードワード・シーケンスの指示情報を含み、前記ユーザ端末に対応する前記コードワード・シーケンスの前記指示情報は、前記ユーザ端末に、前記ユーザ端末に対応する少なくとも１つのコードワード・シーケンスを判定するように指示するために使用される、ステップをさらに含み、
前記基地局により、前記ユーザ端末に対応する前記アップリンク参照信号シンボルグループの時間単位において前記ユーザ端末により送信されたアップリンク参照信号を受信する前記ステップは、
前記基地局により、前記ユーザ端末に対応する前記少なくとも１つのコードワード・シーケンスを使用して、前記ユーザ端末に対応する前記アップリンク参照信号シンボルグループの前記時間単位において前記ユーザ端末により送信された前記アップリンク参照信号を受信するステップを含む。
【００２７】
第２の態様から第２の態様の第９の可能な実装のいずれか１つによると、第１０の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００２８】
第２の態様から第２の態様の第１０の可能な実装のいずれか１つによると、第１１の可能な実装において、前記アップリンク参照信号は、復調参照信号ＤＭ−ＲＳ及び／又はサウンディング参照信号ＳＲＳを含む。
【００２９】
第３の態様によると、本発明の実施形態は、ユーザ端末をさらに提供し、
第１上位層シグナリングに従って、アップリンク参照信号位置を判定し、前記アップリンク参照信号位置は、少なくとも１つのアップリンク参照信号シンボルグループを含み、アップリンク参照信号シンボルグループのそれぞれは、少なくとも１つの時間単位を含み、第２上位層シグナリングか、又は受信された物理チャネルの第１制御情報に従って、前記アップリンク参照信号位置において、前記ユーザ端末に対応するアップリンク参照信号シンボルグループを判定し、前記第２上位層シグナリング又は前記第１制御情報は、前記ユーザ端末に対応する前記アップリンク参照信号シンボルグループの指示情報を含む、ように構成されている判定モジュールと、
前記ユーザ端末に対応する前記アップリンク参照信号シンボルグループの時間単位においてアップリンク参照信号を送信するように構成されている送信モジュールと、
を含む。
【００３０】
第３の態様によると、第３の態様の第１の可能な実装において、アップリンク参照信号シンボルグループのそれぞれが複数の時間単位を含んでいる場合には、前記複数の時間単位における２つの単位時間の間のすべてに少なくとも１つの時間単位の時間間隔が存在する。
【００３１】
第３の態様又は第３の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【００３２】
第３の態様又は第３の態様の第１の可能な実装によると、第３の可能な実装において、前記時間単位は、プリセット時間間隔内の時間単位を含み、前記プリセット時間間隔は、ガード期間を含む。
【００３３】
第３の態様から第３の態様の第３の可能な実装のいずれか１つによると、第４の可能な実装において、前記アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
前記判定モジュールは、前記第２上位層シグナリング又は前記第１制御情報に従って前記アップリンク参照信号位置において、前記ユーザ端末に対応する前記アップリンク参照信号シンボルグループと、前記ユーザ端末に対応するアップリンク参照信号サブキャリアグループとを判定するようにさらに構成され、前記第２上位層シグナリング又は前記第１制御情報は、前記ユーザ端末に対応する前記アップリンク参照信号サブキャリアグループの指示情報をさらに含み、
前記送信モジュールは、周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記アップリンク参照信号を送信するように特に構成されている。
【００３４】
第３の態様の第４の可能な実装によると、第５の可能な実装において、少なくとも１つのサブキャリアの周波数間隔が、前記少なくとも１２のアップリンクサブキャリアにおける２つのサブキャリア間のすべてに存在する。
【００３５】
第３の態様から第３の態様の第５の可能な実装のいずれか１つによると、第６の可能な実装において、前記判定モジュールは、前記第１上位層シグナリングに従って、アップリンク参照信号位置情報を判定し、前記アップリンク参照信号位置情報は、周波数領域位置情報を含み、前記周波数領域位置情報に従って、プリセット時間スロット又はサブフレームにおける前記アップリンク参照信号位置を判定するようにさらに構成されている。
【００３６】
第３の態様から第３の態様の第５の可能な実装のいずれか１つによると、第７の可能な実装において、前記判定モジュールは、前記第１上位層シグナリングに従って、アップリンク参照信号位置情報を判定し、前記アップリンク参照信号位置情報は、時間領域位置情報と、周波数領域位置情報とを含み、前記周波数領域位置情報及び前記時間領域位置情報に従って、前記アップリンク参照信号位置を判定するようにさらに構成されている。
【００３７】
第３の態様から第３の態様の第７の可能な実装のいずれか１つによると、第８の可能な実装において、前記判定モジュールは、第３上位層シグナリング又は受信された前記物理チャネルの第２制御情報に従って、前記ユーザ端末に対応する少なくとも１つのコードワード・シーケンスを判定するようにさらに構成され、前記第３上位層シグナリング又は前記第２制御情報は、前記ユーザ端末に対応する前記コードワード・シーケンスの指示情報を含み、
前記送信モジュールは、前記ユーザ端末に対応する前記少なくとも１つのコードワード・シーケンスを用いて、前記ユーザ端末に対応する前記アップリンク参照信号シンボルグループの前記時間単位において前記アップリンク参照信号を送信するように特に構成されている。
【００３８】
第３の態様から第３の態様の第８の可能な実装のいずれか１つによると、第９の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００３９】
第３の態様から第３の態様の第９の可能な実装のいずれか１つによると、第１０の可能な実装において、前記アップリンク参照信号は、復調参照信号ＤＭ−ＲＳ及び／又はサウンディング参照信号ＳＲＳを含む。
【００４０】
第４の態様によると、本発明の実施形態は、基地局をさらに提供し、
第１上位層シグナリングをユーザ端末に送信し、第２上位層シグナリングを前記ユーザ端末に送信するか、又は物理チャネルを使用して第１制御情報を前記ユーザ端末に送信するように構成された送信モジュールであって、前記第１上位層シグナリングは、アップリンク参照信号位置を判定するために前記ユーザ端末により使用され、前記アップリンク参照信号位置は、少なくとも１つのアップリンク参照信号シンボルグループを含み、アップリンク参照信号シンボルグループのそれぞれは、少なくとも１つの時間単位を含み、前記第２上位層シグナリング又は前記第１制御情報は、前記ユーザ端末に対応するアップリンク参照信号シンボルグループの指示情報を含み、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用される、送信モジュールと、
前記ユーザ端末に対応する前記アップリンク参照信号シンボルグループの時間単位において、前記ユーザ端末により送信されたアップリンク参照信号を受信するように構成されている受信モジュールと、
を含む。
【００４１】
第４の態様によると、第４の態様の第１の可能な実装において、アップリンク参照信号シンボルグループのそれぞれが複数の時間単位を含んでいる場合には、少なくとも１つのシンボルの時間間隔が、前記複数の時間単位における２つの時間単位間のすべてに存在する。
【００４２】
第４の態様又は第４の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【００４３】
第４の態様又は第４の態様の第１の可能な実装によると、第３の可能な実装において、前記時間単位は、プリセット時間間隔内の時間単位であり、前記プリセット時間間隔は、ガード期間ＧＰを含む。
【００４４】
第４の態様から第４の態様の第３の可能な実装のいずれか１つによると、第４の可能な実装において、前記アップリンク参照信号位置は、少なくとも１つのアップリンク参照信号サブキャリアグループを含み、アップリンク参照信号サブキャリアグループのそれぞれは、少なくとも１２のアップリンクサブキャリアを含み、
前記第２上位層シグナリング又は前記第１制御情報は、前記ユーザ端末に対応するアップリンク参照信号サブキャリアグループの指示情報をさらに含み、前記ユーザ端末に対応する前記アップリンク参照信号サブキャリアグループの前記指示情報は、前記ユーザ端末に、前記アップリンク参照信号位置において、前記ユーザ端末に対応する前記アップリンク参照信号サブキャリアグループを判定するように指示するために使用され、
前記受信モジュールは、周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記ユーザ端末により送信された前記アップリンク参照信号を受信するように特に構成されている。
【００４５】
第４の態様の第４の可能な実装によると、第５の可能な実装において、前記少なくとも１２のサブキャリアの内の２つのサブキャリアごとに少なくとも１つのサブキャリアの周波数間隔が存在する。
【００４６】
第４の態様から第４の態様の第５の可能な実装のいずれか１つによると、第６の可能な実装において、前記第１上位層シグナリングは、アップリンク参照信号位置情報を含み、前記アップリンク参照信号位置情報は、周波数領域位置情報を含み、
前記周波数領域位置情報は、前記ユーザ端末によりプリセット時間スロット又はサブフレームにおける前記アップリンク参照信号位置を判定するために使用される。
【００４７】
第４の態様から第４の態様の第５の可能な実装のいずれか１つによると、第７の可能な実装において、前記第１上位層シグナリングは、アップリンク参照信号位置情報を含み、前記アップリンク参照信号位置情報は、時間領域位置情報と、周波数領域位置情報とを含み、
前記時間領域位置情報と前記周波数領域位置情報は、前記ユーザ端末により前記アップリンク参照信号位置を判定するために使用される。
【００４８】
第４の態様の第６又は第７の可能な実装によると、第８の可能な実装において、前記送信モジュールは、Ｘ２インターフェースを使用して前記アップリンク参照信号位置情報を別の基地局に送信するように特に構成され、前記アップリンク参照信号位置情報は、前記基地局の前記アップリンク参照信号位置とは異なる前記別の基地局のアップリンク参照信号位置を作成するために使用される。
【００４９】
第４の態様から第４の態様の第８の可能な実装のいずれか１つによると、第９の可能な実装において、前記送信モジュールは、第３上位層シグナリングを前記ユーザ端末に送信するか、又は前記物理チャネルを使用して第２制御情報を前記ユーザ端末に送信するようにさらに構成され、前記第３上位層シグナリング又は前記第２制御情報は、前記ユーザ端末に対応するコードワード・シーケンスの指示情報を含み、前記ユーザ端末に対応する前記コードワード・シーケンスの前記指示情報は、前記ユーザ端末に、前記ユーザ端末に対応する少なくとも１つのコードワード・シーケンスを判定するように指示するために使用され、
前記受信モジュールは、前記ユーザ端末に対応する前記アップリンク参照信号シンボルグループの前記時間単位における前記ユーザ端末により送信された前記アップリンク参照信号を、前記ユーザ端末に対応する前記少なくとも１つのコードワード・シーケンスを使用して受信するように特に構成されている。
【００５０】
第４の態様から第４の態様の第９の可能な実装のいずれか１つによると、第１０の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００５１】
第４の態様から第４の態様の第１０の可能な実装のいずれか１つによると、第１１の可能な実装において、前記アップリンク参照信号は、復調参照信号ＤＭ−ＲＳ及び／又はサウンディング参照信号ＳＲＳを含む。
【００５２】
第５の態様によると、本発明の実施形態は、プロセッサと、送信機とを含んでいるユーザ端末をさらに提供し、
前記プロセッサは、第１上位層シグナリングに従って、アップリンク参照信号位置を判定し、前記アップリンク参照信号位置は、少なくとも１つのアップリンク参照信号シンボルグループを含み、アップリンク参照信号シンボルグループのそれぞれは、少なくとも１つの時間単位を含み、第２上位層シグナリングか、又は受信された物理チャネルの第１制御情報に従って、前記アップリンク参照信号位置において、前記ユーザ端末に対応するアップリンク参照信号シンボルグループを判定し、前記第２上位層シグナリング又は前記第１制御情報は、前記ユーザ端末に対応する前記アップリンク参照信号シンボルグループの指示情報を含む、ように構成され、
前記送信機は、前記ユーザ端末に対応する前記アップリンク参照信号シンボルグループの時間単位においてアップリンク参照信号を送信するように構成されている。
【００５３】
第５の態様によると、第５の態様の第１の可能な実装において、アップリンク参照信号シンボルグループのそれぞれが複数の時間単位を含んでいる場合には、前記複数の時間単位における２つの単位時間の間のすべてに少なくとも１つの時間単位の時間間隔が存在する。
【００５４】
第５の態様又は第５の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【００５５】
第５の態様又は第５の態様の第１の可能な実装によると、第３の可能な実装において、前記時間単位は、プリセット時間間隔内の時間単位を含み、前記プリセット時間間隔は、ガード期間を含む。
【００５６】
第５の態様から第５の態様の第３の可能な実装のいずれか１つによると、第４の可能な実装において、前記アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
前記プロセッサは、前記第２上位層シグナリング又は前記第１制御情報に従って前記アップリンク参照信号位置において、前記ユーザ端末に対応する前記アップリンク参照信号シンボルグループと、前記ユーザ端末に対応するアップリンク参照信号サブキャリアグループとを判定するようにさらに構成され、前記第２上位層シグナリング又は前記第１制御情報は、前記ユーザ端末に対応する前記アップリンク参照信号サブキャリアグループの指示情報をさらに含み、
前記送信機は、周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記アップリンク参照信号を送信するように特に構成されている。
【００５７】
第５の態様の第４の可能な実装によると、第５の可能な実装において、少なくとも１つのサブキャリアの周波数間隔が、前記少なくとも１２のアップリンクサブキャリアにおける２つのサブキャリア間のすべてに存在する。
【００５８】
第５の態様から第５の態様の第５の可能な実装のいずれか１つによると、第６の可能な実装において、前記プロセッサは、前記第１上位層シグナリングに従って、アップリンク参照信号位置情報を判定し、前記アップリンク参照信号位置情報は、周波数領域位置情報を含み、前記周波数領域位置情報に従って、プリセット時間スロット又はサブフレームにおける前記アップリンク参照信号位置を判定するようにさらに構成されている。
【００５９】
第５の態様から第５の態様の第５の可能な実装のいずれか１つによると、第７の可能な実装において、前記プロセッサは、前記第１上位層シグナリングに従って、アップリンク参照信号位置情報を判定し、前記アップリンク参照信号位置情報は、時間領域位置情報と、周波数領域位置情報とを含み、前記周波数領域位置情報及び前記時間領域位置情報に従って、前記アップリンク参照信号位置を判定するようにさらに構成されている。
【００６０】
第５の態様から第５の態様の第７の可能な実装のいずれか１つによると、第８の可能な実装において、前記プロセッサは、第３上位層シグナリング又は受信された前記物理チャネルの第２制御情報に従って、前記ユーザ端末に対応する少なくとも１つのコードワード・シーケンスを判定するようにさらに構成され、前記第３上位層シグナリング又は前記第２制御情報は、前記ユーザ端末に対応する前記コードワード・シーケンスの指示情報を含み、
前記送信機は、前記ユーザ端末に対応する前記少なくとも１つのコードワード・シーケンスを用いて、前記ユーザ端末に対応する前記アップリンク参照信号シンボルグループの前記時間単位において前記アップリンク参照信号を送信するように特に構成されている。
【００６１】
第５の態様から第５の態様の第８の可能な実装のいずれか１つによると、第９の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００６２】
第５の態様から第５の態様の第９の可能な実装のいずれか１つによると、第１０の可能な実装において、前記アップリンク参照信号は、復調参照信号ＤＭ−ＲＳ及び／又はサウンディング参照信号ＳＲＳを含む。
【００６３】
第６の態様によると、本発明の実施形態は、送信機と、受信機とを含んでいる基地局を提供し、
前記送信機は、第１上位層シグナリングをユーザ端末に送信し、第２上位層シグナリングを前記ユーザ端末に送信するか、又は物理チャネルを使用して第１制御情報を前記ユーザ端末に送信するようにさらに構成され、前記第１上位層シグナリングは、アップリンク参照信号位置を判定するために前記ユーザ端末により使用され、前記アップリンク参照信号位置は、少なくとも１つのアップリンク参照信号シンボルグループを含み、アップリンク参照信号シンボルグループのそれぞれは、少なくとも１つの時間単位を含み、前記第２上位層シグナリング又は前記第１制御情報は、前記ユーザ端末に対応するアップリンク参照信号シンボルグループの指示情報を含み、前記ユーザ端末に対応する前記アップリンク参照信号シンボルグループの前記指示情報は、前記ユーザ端末に、前記アップリンク参照信号位置において前記ユーザ端末に対応する前記アップリンク参照信号シンボルグループを判定するように指示するために使用され、
前記受信機は、前記ユーザ端末に対応する前記アップリンク参照信号シンボルグループの時間単位において、前記ユーザ端末により送信されたアップリンク参照信号を受信するように特に構成されている。
【００６４】
第６の態様によると、第６の態様の第１の可能な実装において、アップリンク参照信号シンボルグループのそれぞれが複数の時間単位を含んでいる場合には、少なくとも１つのシンボルの時間間隔が、前記複数の時間単位における２つの時間単位間のすべてに存在する。
【００６５】
第６の態様又は第６の態様の第１の可能な実装によると、第２の可能な実装において、前記時間単位は、プリセット時間単位とは異なる時間単位であり、前記プリセット時間単位は、１ｍｓの送信時間間隔ＴＴＩに対応するアップリンク参照信号の時間単位である。
【００６６】
第６の態様又は第６の態様の第１の可能な実装によると、第３の可能な実装において、前記時間単位は、プリセット時間間隔内の時間単位であり、前記プリセット時間間隔は、ガード期間ＧＰを含む。
【００６７】
第６の態様から第６の態様の第３の可能な実装のいずれか１つによると、第４の可能な実装において、前記アップリンク参照信号位置は、少なくとも１つのアップリンク参照信号サブキャリアグループを含み、アップリンク参照信号サブキャリアグループのそれぞれは、少なくとも１２のアップリンクサブキャリアを含み、
前記第２上位層シグナリング又は前記第１制御情報は、前記ユーザ端末に対応するアップリンク参照信号サブキャリアグループの指示情報をさらに含み、前記ユーザ端末に対応する前記アップリンク参照信号サブキャリアグループの前記指示情報は、前記ユーザ端末に、前記アップリンク参照信号位置において、前記ユーザ端末に対応する前記アップリンク参照信号サブキャリアグループを判定するように指示するために使用され、
前記受信機は、周波数領域において前記ユーザ端末に対応する前記アップリンク信号サブキャリアグループのサブキャリアで、時間領域において前記ユーザ端末に対応する前記アップリンク参照信号シンボルグループの前記時間単位で前記ユーザ端末により送信された前記アップリンク参照信号を受信するように特に構成されている。
【００６８】
第６の態様の第４の可能な実装によると、第５の可能な実装において、前記少なくとも１２のサブキャリアの内の２つのサブキャリアごとに少なくとも１つのサブキャリアの周波数間隔が存在する。
【００６９】
第６の態様から第６の態様の第５の可能な実装のいずれか１つによると、第６の可能な実装において、前記第１上位層シグナリングは、アップリンク参照信号位置情報を含み、前記アップリンク参照信号位置情報は、周波数領域位置情報を含み、
前記周波数領域位置情報は、前記ユーザ端末によりプリセット時間スロット又はサブフレームにおける前記アップリンク参照信号位置を判定するために使用される。
【００７０】
第６の態様から第６の態様の第５の可能な実装のいずれか１つによると、第７の可能な実装において、前記第１上位層シグナリングは、アップリンク参照信号位置情報を含み、前記アップリンク参照信号位置情報は、時間領域位置情報と、周波数領域位置情報とを含み、
前記時間領域位置情報と前記周波数領域位置情報は、前記ユーザ端末により前記アップリンク参照信号位置を判定するために使用される。
【００７１】
第６の態様の第６又は第７の可能な実装によると、第８の可能な実装において、前記送信機は、Ｘ２インターフェースを使用して前記アップリンク参照信号位置情報を別の基地局に送信するように特に構成され、前記アップリンク参照信号位置情報は、前記基地局の前記アップリンク参照信号位置とは異なる前記別の基地局のアップリンク参照信号位置を作成するために使用される。
【００７２】
第６の態様から第６の態様の第８の可能な実装のいずれか１つによると、第９の可能な実装において、前記送信機は、第３上位層シグナリングを前記ユーザ端末に送信するか、又は前記物理チャネルを使用して第２制御情報を前記ユーザ端末に送信するようにさらに構成され、前記第３上位層シグナリング又は前記第２制御情報は、前記ユーザ端末に対応するコードワード・シーケンスの指示情報を含み、前記ユーザ端末に対応する前記コードワード・シーケンスの前記指示情報は、前記ユーザ端末に、前記ユーザ端末に対応する少なくとも１つのコードワード・シーケンスを判定するように指示するために使用され、
前記受信機は、前記ユーザ端末に対応する前記アップリンク参照信号シンボルグループの前記時間単位における前記ユーザ端末により送信された前記アップリンク参照信号を、前記ユーザ端末に対応する前記少なくとも１つのコードワード・シーケンスを使用して受信するように特に構成されている。
【００７３】
第６の態様から第６の態様の第９の可能な実装のいずれか１つによると、第１０の可能な実装において、前記時間単位は、シングルキャリア周波数分割多元接続（SC-FDMA）シンボルに対応する時間単位であるか、又は直交周波数分割多元接続（OFDMA）シンボルに対応する時間単位である。
【００７４】
第６の態様から第６の態様の第１０の可能な実装のいずれか１つによると、第１１の可能な実装において、前記アップリンク参照信号は、復調参照信号ＤＭ−ＲＳ及び／又はサウンディング参照信号ＳＲＳを含む。
【００７５】
本発明の実施形態により提供される前記アップリンク参照信号送信方法、ユーザ端末、及び基地局によると、前記ユーザ端末は、前記第１上位層シグナリングに従って、前記アップリンク参照信号位置を判定でき、前記アップリンク参照信号位置は、少なくとも１つのアップリンク参照信号シンボルグループを含み、アップリンク参照信号シンボルグループのそれぞれは、少なくとも１つの時間単位を含み、前記ユーザ端末は、前記第２上位層シグナリング又は前記第１制御情報に含まれている、前記ユーザ端末に対応する前記アップリンク参照信号シンボルグループの指示情報に従って、前記アップリンク参照信号位置において、前記ユーザ端末に対応する前記アップリンク参照信号シンボルグループを判定し、その後前記ユーザ端末に対応する前記アップリンク参照信号シンボルグループにおける前記アップリンク参照信号を送信する。すなわち、ユーザ端末のそれぞれは、前記アップリンク参照信号位置において、前記ユーザ端末に対応するアップリンク参照信号シンボルグループにおけるアップリンク参照信号を送信し得る。ＴＴＩが低減されても、各ユーザ端末が十分なアップリンク参照信号を送信することを保証するために、前記ユーザ端末に対応する前記アップリンク参照信号シンボルグループにおける時間単位の量及び／又は前記ユーザ端末に対応する前記アップリンク参照信号シンボルグループにおける時間単位のサブキャリアの量は、前記アップリンク参照信号位置において増加させることができ、すべてのＴＴＩにおいて、アップリンク参照信号に対応する時間単位を追加する必要はない。したがって、データ伝送速度が保証され、システムのアップリンク容量が保証される。
【００７６】
本発明の実施形態における、または従来技術における技術的ソリューションをより明瞭に説明するために、以下に、それらの実施形態、または従来技術を説明するのに必要な添付の図面を簡単に概説する。明らかに、以下の説明における添付の図面は、本発明のいくつかの実施形態を示しており、当業者は、創造的な取り組みなしに、これらの添付の図面から他の図面をさらに得ることができる。
【図面の簡単な説明】
【００７７】
【図１】図１は、ＴＤＤ通信システムにおける無線フレームの概略構成図である。
【図２】図２は、ＦＤＤ通信システムにおける無線フレームの概略構成図である。
【図３】図３は、本発明の実施例１に係るアップリンク参照信号送信方法のフローチャートである。
【図４】図４は、本発明の実施例２に係る時間スロットにおけるアップリンク参照信号位置の概略構成図である。
【図５】図５は、本発明の実施例２に係るサブフレームにおけるアップリンク参照信号位置の概略構成図である。
【図６】図６は、本発明の実施例２に係るサブフレーム内に設計されたアップリンク参照信号シンボルグループの時間単位の概略構成図である。
【図７】図７は、本発明の実施例２に係るサブフレーム内に設計されたアップリンク参照信号シンボルグループの時間単位の他の概略構成図である。
【図８】図８は、本発明の実施例２に係る時間スロット内に設計されたアップリンク参照信号シンボルグループの時間単位の概略構成図である。
【図９】図９は、本発明の実施例２に係る時間スロット内に設計されたアップリンク参照信号シンボルグループの時間単位の他の概略構成図である。
【図１０】図１０は、本発明の実施例２に係る時間スロットにおけるアップリンク参照信号位置の概略構成図である。
【図１１】図１１は、本発明の実施例２に係るアップリンク参照信号送信方法のフローチャートである。
【図１２】図１２は、本発明の実施例２に係るアップリンク参照信号送信方法におけるアップリンク参照信号位置の決定方法のフローチャートである。
【図１３】図１３は、本発明の実施例２に係るアップリンク参照信号送信方法におけるアップリンク参照信号位置を決定する別の方法のフローチャートである。
【図１４】図１４は、本発明の実施例２に係るアップリンク参照信号送信方法のフローチャートである。
【図１５】図１５は、本発明の実施例３に係るアップリンク参照信号送信方法のフローチャートである。
【図１６Ａ】図１６Ａは、本発明の実施例４に係るアップリンク参照信号送信方法のフローチャートである。
【図１６Ｂ】図１６Ｂは、本発明の実施例４に係るアップリンク参照信号送信方法のフローチャートである。
【図１７】図１７は、本発明の実施例５に係るユーザ端末の概略構成図である。
【図１８】図１８は、本発明の実施例６に係る基地局の概略構成図である。
【図１９】図１９は、本発明の実施例７に係るユーザ端末の概略構成図である。
【図２０】図２０は、本発明の実施例８に係る基地局の概略構成図である。
【図２１】図２１は、本発明の実施例９に係るネットワークシステムの概略構成図である。
【発明を実施するための形態】
【００７８】
本発明の実施形態の目的、技術的解決策、および利点をより明瞭にするために、以下では、本発明の実施形態における添付図面を参照して本発明の実施形態における技術的解決策を明瞭かつ完全に説明する。明らかに、説明される実施形態は、本発明の実施形態のすべてではなく一部である。創作的労力なしで本発明の実施形態に基づいて当業者が取得する他のすべての実施形態は、本発明の保護範囲に含まれなければならない。
【００７９】
本発明の各実施形態のソリューションは、ロングタームエボリューションアドバンスト(LTE-A)通信システムのようなＬＴＥ通信システム又は進化型ＬＴＥ通信システムに適用可能である。ＬＴＥ通信システム又はＬＴＥーＡ通信システムは、時分割複信(Time Division Duplexing, 略してTDD)通信システム及び周波数分割複信(Frequency Division Duplexing, 略してFDD)通信システムを含む。
【００８０】
図１は、ＴＤＤ通信システムにおける無線フレームの概略構成図である。図１に示すように、ＴＤＤ通信システムにおいて、無線フレームは１０のサブフレーム：サブフレーム＃０から＃９を含むことができ、各サブフレームは、２つの０．５ｍｓ時間スロットを含む。１０のサブフレームは、アップリンクサブフレーム、ダウンリンクサブフレーム、及びスペシャルサブフレームを含み得る。アップリンクサブフレーム、ダウンリンクサブフレーム、及びスペシャルサブフレームに対応する特定のサブフレームは、アップリンク−ダウンリンク構成情報と、アップリンク−ダウンリンク構成情報とサブフレーム番号との間の対応関係のテーブルとに従って決定され得る。ＴＤＤ通信システムにおける、アップリンク−ダウンリンク構成とサブフレーム番号との対応関係は、以下の表１に示される。
【００８１】
【表１】
0006607625.tif 000002
【００８２】
テーブル１において、Ｄはダウンリンクサブフレーム、Ｓはスペシャルサブフレーム、及びＵはアップリンクサブフレームである。
【００８３】
図１から分かるように、ＴＤＤ通信システムにおけるスペシャルサブフレームは、ダウンリンクパイロット時間スロット(DwPTS)、ガード期間(GP)、及びアップリンクパイロット時間スロット(UpPTS)を含む。スペシャルサブフレームにおけるDwPTS、GP、及びUpPTSに対応する長さは、以下の表2に従って決定され得る。
【００８４】
【表２】
0006607625.tif 000003
【００８５】
図１から分かるように、スペシャルサブフレームの総長さは、30720 ＴＳである。表２のスペシャルサブフレームにおけるDwPTS及びUpPTSの長さを参照して、スペシャルサブフレームにおけるＧＰの長さが決定され得る。
【００８６】
図２は、ＦＤＤ通信システムにおける無線フレームの概略構成図である。図２に示すように、ＦＤＤ通信システムにおいて、無線フレームは、２０の時間スロット：時間スロット＃０から時間スロット＃１９を含み得る。２０の時間スロットは、１０のサブフレームにグルーピングされ得、各サブフレームは、０．５ｍｓの時間スロットを含む。
【００８７】
ＬＴＥ通信システムにおいて、送信リソースは、時間及び周波数に従って分類される。時間領域において、最大時間単位は１０ｍｓの無線フレームである。この無線フレームは、１０個の１ｍｓのサブフレームに分割され、各サブフレームは０．５ｍｓの時間スロットにさらに分割される。ノーマルサイクリックプレフィックス(NCP)を所与として、スロットは、７つの時間単位を含む。拡張サイクリックプレフィックス(ECP)を所与として、スロットは、６つの時間単位を含む。周波数領域では、１２のサブキャリア毎に１８０ｋＨｚリソース要素(RE)が形成される。最小時間−周波数リソース単位はＲＥである。ＲＥは、周波数領域において１つのサブキャリアを、時間領域において１の時間単位の期間を含んでいる２次元リソースである。リソースブロック(RB)は、時間領域において１つのスロットを、周波数領域において１２のサブキャリアを含んでいるリソースブロックである。ノーマルサイクリックプレフィックスに対し、ＲＢは、８４のＲＥを含む。拡張サイクリックプレフィックスに対し、ＲＢは、７２のＲＥを含む。
【００８８】
本発明の各実施形態において、ＴＴＩは、サブフレームであっても、又は時間スロットであっても、さらには時間単位であってもよい。ＴＴＩがサブフレームである場合、ＴＴＩは１ｍｓである。ＴＴＩが時間スロットである場合、ＴＴＩは０．５ｍｓであり得る。ＴＴＩが時間単位である場合、ＴＴＩは、時間単位の期間であってよく、時間単位は、１５ｋＨｚのサブキャリア間隔を有するＬＴＥシステムにおける直交周波数分割多重アクセス(Orthogonal Frequency Division Multiple Access, 略してOFDMA)シンボル又はシングルキャリア周波数分割多重アクセス(Single Carrier Frequency Division Multiple Access, 略してSC-FDMA)シンボル、又はより大きいサブキャリア間隔を有する通信システムにおけるシンボルであり得る。本発明の各実施形態におけるＴＴＩは、複数の時間単位を含んでもよいが、時間スロットよりも短いことに留意すべきである。
【００８９】
本発明の実施例１は、アップリンク参照信号送信方法を提供する。実施例１におけるアップリンク参照信号送信方法を実施することにより、ユーザ端末は、ユーザ端末のアップリンク参照信号を基地局に送信し得る。チャネルサウンディングの結果に従ってユーザ端末をスケジューリングするか、周波数オフセット推定の結果に従ってユーザ端末のアップリンクデータの周波数をキャリブレートし、その後、キャリブレートされた周波数及びチャネル推定の結果に従って、ユーザ端末により送信されたデータを受信するように、ユーザ端末により送信されたアップリンク参照信号を受信するステップの後に、基地局は、アップリンク参照信号に従って、ユーザ端末のためにチャネルサウンディング、チャネル推定、又は周波数オフセット推定を実施する。
【００９０】
図３は、本発明の実施例１に係るアップリンク参照信号送信方法のフローチャートである。図３に示すように、アップリンク参照信号送信方法は、以下のステップを含み得る。
【００９１】
Ｓ３０１：ユーザ端末は、第１上位層シグナリングに従って、アップリンク参照信号位置を判定し、アップリンク参照信号位置は、少なくとも１つのアップリンク参照信号シンボルグループを含み、アップリンク参照信号シンボルグループのそれぞれは、少なくとも１つの時間単位を含む。
【００９２】
具体的には、ユーザ端末は、例えば、ユーザ装置(User Equipment, 略してUE)、移動局(Mobile Station, 略してMS)、又は移動端末であってよい。移動端末は、例えば、携帯電話、ノートブックコンピュータ、又はタブレットコンピュータであってよい。第１上位層シグナリングは、ユーザ端末により受信された任意の上位層シグナリングであり得る。第１上位層シグナリングは、無線リソース制御(Radio Resource Control, 略してRRC)シグナリング、メディアアクセス制御(Medium Access Control, 略してMAC)シグナリング、又は他のシグナリングであってよい。基地局は、ユーザ端末が位置するセルをサービスする基地局であり得る。アップリンク参照信号位置は、基地局のセル内の複数のユーザ端末のアップリンク参照信号位置を含み得る。すなわち、本発明の実施例１の方法において、基地局のセル内の複数のユーザ端末は、アップリンク参照信号位置において、ユーザ端末に対応するアップリンク参照信号シンボルグループにおけるアップリンク参照信号を送信する。
【００９３】
アップリンク参照信号位置は、少なくとも１つのアップリンク参照信号シンボルグループを含み、アップリンク参照信号シンボルグループのそれぞれは、少なくとも１つの時間単位を含む。複数のユーザ端末におけるユーザ端末のそれぞれは、アップリンク参照信号位置におけるアップリンク参照信号シンボルグループに対応する。複数のユーザ端末における異なるユーザ端末に対応するアップリンク参照信号シンボルグループは、同じであってもよいし、異なっていてもよい。異なるユーザ端末に対応するアップリンク参照信号シンボルグループが同じである場合、すなわち、異なるユーザ端末のアップリンク参照信号の時間領域位置が同じである場合には、異なるユーザ端末のアップリンク参照信号の周波数領域位置は異なっており、及び／又は異なるユーザ端末のアップリンク参照信号のコードワード・シーケンスが、異なっている。異なるユーザ端末に対応するアップリンク参照信号シンボルグループが異なっている場合、すなわち、異なるユーザ端末のアップリンク参照信号の時間領域位置が同じである場合には、異なるユーザ端末のアップリンク参照信号の周波数領域位置は、同じであってもよいし、異なっていてもよく、異なるユーザ端末のアップリンク参照信号のコードワード・シーケンスは、同じであっても異なっていてもよい。
【００９４】
アップリンク参照信号位置において含まれている少なくとも１つのアップリンク参照信号シンボルグループの時間単位は、時間スロットにおけるサブフレーム又は時間単位を含み得る。
【００９５】
Ｓ３０２：ユーザ端末は、第２上位層シグナリング又は受信された物理チャネル第１制御情報に従って、アップリンク参照信号位置において、ユーザ端末に対応するアップリンク参照信号シンボルグループを判定し、第２上位層シグナリング又は第１制御情報は、ユーザ端末に対応するアップリンク参照信号シンボルグループの指示情報を含む。
【００９６】
具体的には、第２上位層シグナリングは、ユーザ端末により受信された任意の上位層シグナリングであってもよい。第２上位層シグナリングは、第１上位層シグナリングと同じであっても異なっていてもよい。物理チャネルは、ダウンリンク物理チャネルであり得、例えば、物理ダウンリンク制御チャネル(PDCCH)、又は拡張物理ダウンリンク制御チャネル(EPDCCH)である。
【００９７】
アップリンク参照信号位置が複数のユーザ端末のアップリンク参照信号位置を含むため、ユーザ端末は、第２上位層シグナリングにおいてユーザ端末に対応するアップリンク参照信号シンボルグループの指示情報又は第１制御情報に従って、複数のユーザ端末のアップリンク参照信号位置から、ユーザ端末に対応するアップリンク参照信号シンボルグループを判定し得る。ユーザ端末に対応するアップリンク参照信号シンボルグループの指示情報は、ユーザ端末に対応するアップリンク参照信号シンボルグループの識別子、及び／又はユーザ端末に対応するアップリンク参照信号シンボルグループにおける時間単位の識別子を含み得る。
【００９８】
Ｓ３０３：ユーザ端末は、ユーザ端末に対応するアップリンク参照信号シンボルグループの時間単位でアップリンク参照信号を送信する。
【００９９】
具体的には、ユーザ端末は、ユーザ端末に対応するアップリンク参照信号シンボルグループの少なくとも１つの時間単位でアップリンク参照信号を送信し得る。ユーザ端末は、アップリンク参照信号位置とは異なる時間−周波数位置においてアップリンクデータをさらに送信してもよい。
【０１００】
本発明の実施例１により提供されるアップリンク参照信号送信方法において、ユーザ端末は、第１上位層シグナリングに従って、アップリンク参照信号位置を判定し得、アップリンク参照信号位置は、少なくとも１つのアップリンク参照信号シンボルグループを含み、アップリンク参照信号シンボルグループのそれぞれは、少なくとも１つの時間単位を含み、ユーザ端末は、第２上位層シグナリングに含まれている、ユーザ端末に対応するアップリンク参照信号シンボルグループの指示情報又は第１制御情報に従って、アップリンク参照信号位置において、ユーザ端末に対応するアップリンク参照信号シンボルグループを判定し、その後ユーザ端末に対応するアップリンク参照信号シンボルグループにおけるアップリンク参照信号を送信する。すなわち、各ユーザ端末は、アップリンク参照信号位置において、ユーザ端末に対応するアップリンク参照信号シンボルグループにおけるアップリンク参照信号を送信し得る。ユーザ端末は、アップリンク参照信号位置において、ユーザ端末に対応するアップリンク参照信号シンボルグループにおけるアップリンク信号を送信するため、アップリンクデータ及びユーザ端末により送信されたアップリンク参照信号は、異なる時間−周波数リソース上で別々に送信される。ＴＴＩが低減されても、十分なアップリンク参照信号がアップリンク参照信号位置において依然として送信でき、ＴＴＩにおいて、アップリンク参照信号に対応する時間単位を追加する必要はない。したがって、データ伝送速度が保証され、システムのアップリンク容量が保証される。
【０１０１】
本発明の実施例２は、アップリンク参照信号送信方法をさらに提供する。任意選択的に、アップリンク参照信号シンボルグループのそれぞれが複数の時間単位を含んでいる場合には、複数の時間単位における２つの単位時間の間のすべてに少なくとも１つの時間単位の時間間隔が存在する。
【０１０２】
具体的には、アップリンク参照信号シンボルグループのそれぞれが複数の時間単位を含んでいる場合には、ユーザ端末に対応するアップリンク参照信号シンボルグループは、複数の時間単位を含む。ユーザ端末は、２つの時間単位の間のすべてに存在する少なくとも１つの時間単位の時間間隔で、複数の時間単位におけるアップリンク参照信号を送信する。したがって、基地局がアップリンク参照信号を受信した後に、基地局により実行された周波数オフセット推定の結果は、より正確である。
【０１０３】
例えば、アップリンク参照信号位置が、時間スロット内に設計されたアップリンク参照信号シンボルグループの時間単位を含む場合には、アップリンク参照信号位置において含まれている少なくとも１つのアップリンク参照信号シンボルグループの時間単位は、時間スロットにおける時間単位であり得る。ノーマルサイクリックプレフィックスを所与として、時間スロットは、７つのシンボルを含み得、各シンボルは、時間単位に相当する。図４は、本発明の実施例２に係る時間スロットにおけるアップリンク参照信号位置の概略構成図である。図４に示すように、時間スロットにおいて、アップリンク参照信号位置は、３つのアップリンク参照信号シンボルグループを含み得る。第１アップリンク参照信号シンボルグループは、２つのシンボル＃０と＃３に対応する時間単位を含む。第２アップリンク参照信号シンボルグループは、２つのシンボル＃１と＃４に対応する時間単位を含む。第３アップリンク参照信号シンボルグループは、２つのシンボル＃２と＃５に対応する時間単位を含む。アップリンク参照信号位置において、アップリンク参照信号シンボルグループにおける時間単位に対応するシンボルの量は異なり得る。すなわち、時間スロットにおける６つのシンボルに対応する時間単位は、別の量のアップリンク参照信号シンボルグループにも分類され得る。すなわち、時間スロットにおいて、アップリンク参照信号位置は、別の量のアップリンク参照信号シンボルグループを含むことができる。別の量は、３より大きく６より小さくてよい。ユーザ端末は、第２上位層シグナリングにおけるユーザ端末に対応するアップリンク参照信号シンボルグループの指示情報又は第１制御情報に従って、時間スロット内の複数のアップリンク参照信号シンボルグループから１つを、ユーザ端末に対応するアップリンク参照信号シンボルグループとして選択し得る。図４は時間スロットにおけるアップリンク参照信号位置の単なる例であることに留意すべきである。アップリンク参照信号位置において含まれている少なくとも１つのアップリンク参照信号シンボルグループにおける各アップリンク参照信号シンボルグループの時間単位は、別の様式により分散されてもよい。詳細は本明細書ではこれ以上説明しない。
【０１０４】
例えば、アップリンク参照信号位置が、サブフレーム内に設計されたアップリンク参照信号シンボルグループの時間単位を含む場合には、アップリンク参照信号位置において含まれている少なくとも１つのアップリンク参照信号シンボルグループの時間単位は、サブフレームにおける時間単位であり得る。ノーマルサイクリックプレフィックスを所与として、サブフレームは、１４のシンボルを含み得、各シンボルは、時間単位に相当する。図５は、本発明の実施例２に係るサブフレームにおけるアップリンク参照信号位置の概略構成図である。図５に示すように、サブフレームにおいて、アップリンク参照信号位置は、７つのアップリンク参照信号シンボルグループを含み得る。第１アップリンク参照信号シンボルグループは、２つのシンボル＃０と＃７に対応する時間単位を含む。第２アップリンク参照信号シンボルグループは、２つのシンボル＃１と＃８に対応する時間単位を含む。第３アップリンク参照信号シンボルグループは、２つのシンボル＃２と＃９に対応する時間単位を含む。第４アップリンク参照信号シンボルグループは、２つのシンボル＃３と＃１０に対応する時間単位を含む。第５アップリンク参照信号シンボルグループは、２つのシンボル＃４と＃１１に対応する時間単位を含む。第６アップリンク参照信号シンボルグループは、２つのシンボル＃５と＃１２に対応する時間単位を含む。第７アップリンク参照信号シンボルグループは、２つのシンボル＃６と＃１３に対応する時間単位を含む。アップリンク参照信号位置において、アップリンク参照信号シンボルグループにおける時間単位に対応するシンボルの量は、異なっていてよい。すなわち、サブフレームにおける１４のシンボルは、別の量のアップリンク参照信号シンボルグループにも分類され得る。すなわち、サブフレームにおいて、アップリンク参照信号位置は、別の量のアップリンク参照信号シンボルグループを含んでもよい。別の量は、７より大きく１４より小さくてよい。ユーザ端末は、第２上位層シグナリングにおけるユーザ端末に対応するアップリンク参照信号シンボルグループの指示情報又は第１制御情報に従って、サブフレーム内の複数のアップリンク参照信号シンボルグループから１つを、ユーザ端末に対応するアップリンク参照信号シンボルグループとして選び得る。サブフレーム内のアップリンク参照信号位置の一例に過ぎないことに留意すべきである。アップリンク参照信号位置において含まれている少なくとも１つのアップリンク参照信号シンボルグループにおける各アップリンク参照信号シンボルグループの時間単位は、別の様式において分散されてもよい。詳細は本明細書ではこれ以上説明しない。
【０１０５】
任意選択的に、時間単位は、プリセット時間単位とは異なる時間単位であり、プリセット時間単位は、１ｍｓのＴＴＩに対応するアップリンク参照信号の時間単位である。
【０１０６】
具体的には、ユーザ端末により送信されたアップリンク参照信号と、現在のセルまたは近傍セルにおいて１ｍｓのＴＴＩを有する以前にリリースのユーザ端末により送信されたアップリンク参照信号との間の相互干渉を避けるために、各アップリンク参照信号シンボルグループにおける時間単位は、１ｍｓのＴＴＩに対応するアップリンク参照信号の時間単位とは異なる時間単位であり得る。この場合、ユーザ端末により送信されたアップリンク参照信号の時間単位、すなわち、ユーザ端末に対応するアップリンク参照信号シンボルグループにおける、アップリンク参照信号位置においてユーザ端末により判定された時間単位は、１ｍｓの以前にリリースのユーザ端末が送信するアップリンク参照信号における時間単位とは異なる。
【０１０７】
例えば、アップリンク参照信号位置が、サブフレーム内に設計されたアップリンク参照信号シンボルグループの時間単位を含む場合には、アップリンク参照信号位置において含まれている少なくとも１つのアップリンク参照信号シンボルグループの時間単位は、サブフレームにおける時間単位であり得る。ノーマルサイクリックプレフィックスを所与として、サブフレームは、２つの時間スロットを含み、各時間スロットは、７つのシンボルを含み、すなわち、サブフレームは、１４のアップリンクシンボルを含むことができ、各シンボルは、時間単位に相当する。図６は、本発明の実施例２に係るサブフレーム内に設計されたアップリンク参照信号シンボルグループの時間単位の概略構成図である。図６に示すように、サブフレームは、１４のシンボル＃０から＃１３を含み得る。現在のセル又は近傍セルにおける１ｍｓのＴＴＩに対応するアップリンク参照信号におけるサウンディング参照信号(SRS)は、シンボル＃１３上に現れ得、アップリンク参照信号における復調参照信号(DM-RS)はシンボル＃３と＃１０に現れる。したがって、ノーマルサイクリックプレフィックスを所与として、ユーザ端末により送信されたアップリンク参照信号と、現在のセル又は近傍セルにおいて１ｍｓのＴＴＩを有する以前にリリースのユーザ端末により送信されたアップリンク参照信号との間の相互干渉を避けるために、１ｍｓのＴＴＩにおけるＳＲＳとＤＭ−ＲＳに対応するシンボルは避けることができる。この場合、アップリンク参照信号位置における各アップリンク参照信号シンボルグループの時間単位は、３つのシンボル＃３、＃１０、及び＃１３以外のシンボルに対応する時間単位であり得る。すなわち、各アップリンク参照信号シンボルグループにおける時間単位は、シンボル＃０、＃１、＃２、＃４、＃５、＃６、＃７、＃８、＃９、＃１１、又は＃１２の少なくとも１つに対応する時間単位を含み得る。１ｍｓのＴＴＩにおけるＳＲＳを避けるために、各アップリンク参照信号シンボルグループにおける時間単位は、シンボル＃１３以外のシンボルに対応する時間単位であり得、すなわち、各アップリンク参照信号シンボルグループにおける時間単位は、シンボル＃０、＃１、＃２、＃３、＃４、＃５、＃６、＃７、＃８、＃９、＃１０、＃１１、又は＃１２の少なくとも１つに対応する時間単位を含み得る。１ｍｓのＴＴＩにおけるＤＭＲＳのみを避けるために、各アップリンク参照信号シンボルグループにおける時間単位は、シンボル＃３及び＃１０以外のシンボルに対応する時間単位であり得、すなわち、各アップリンク参照信号シンボルグループにおける時間単位は、シンボル＃０、＃１、＃２、＃４、＃５、＃６、＃７、＃８、＃９、＃１１、＃１２、又は＃１３の少なくとも１つに対応する時間単位を含み得る。
【０１０８】
拡張サイクリックプレフィックスを所与として、サブフレームは、２つの時間スロットを含み、各時間スロットは、６つのシンボルを含み、すなわち、サブフレームは、１２のアップリンクシンボルを含み得、各シンボルは、時間単位に相当する。図７は、本発明の実施例２に係るサブフレーム内に設計されたアップリンク参照信号シンボルグループの時間単位の他の概略構成図である。図７に示すように、サブフレームは、１２のシンボル＃０から＃１１を含み得る。現在のセル又は近傍セルにおいて１ｍｓのTTIを有する以前にリリースのユーザ端末に対応するアップリンク参照信号におけるＳＲＳは、シンボル＃１１に現れ得、アップリンク参照信号におけるＤＭ−ＲＳは、シンボル＃２と＃８に現れる。したがって、拡張サイクリックプレフィックスを所与として、ユーザ端末により送信されたアップリンク参照信号と、現在のセル又は近傍セルにおいて１ｍｓのＴＴＩを有する以前にリリースのユーザ端末により送信されたアップリンク参照信号との相互干渉を避けるために、１ｍｓのＴＴＩにおけるＳＲＳ及びＤＭ−ＲＳに対応するシンボルは避けることができる。この場合には、アップリンク参照信号位置における各アップリンク参照信号シンボルグループの時間単位は、３つのシンボル＃２、＃８及び＃１１以外のシンボルであり得る。すなわち、各アップリンク参照信号シンボルグループにおける時間単位は、シンボル＃０、＃１、＃３、＃４、＃５、＃６、＃７、＃９、又は＃１０の少なくとも１つに対応する時間単位を含み得る。１ｍｓのＴＴＩにおけるＳＲＳのみを避けるために、各アップリンク参照信号シンボルグループにおける時間単位は、シンボル＃１１以外のシンボルに対応する時間単位であり得、すなわち、各アップリンク参照信号シンボルグループにおける時間単位は、シンボル＃０、＃１、＃２、＃３、＃４、＃５、＃６、＃７、＃８、＃９、又は＃１０の少なくとも１つに対応する時間単位を含み得る。１ｍｓのＴＴＩにおけるＤＭＲＳのみを避けるために、各アップリンク参照信号シンボルグループにおける時間単位は、シンボル＃２及び＃８以外のシンボルに対応する時間単位であり得、すなわち、各アップリンク参照信号シンボルグループにおける時間単位は、シンボル＃０、＃１、＃３、＃４、＃５、＃６、＃７、＃９、＃１０、又は＃１１の少なくとも１つに対応する時間単位を含み得る。
【０１０９】
例えば、アップリンク参照信号位置が、時間スロット内に設計されたアップリンク参照信号シンボルグループの時間単位を含む場合には、アップリンク参照信号位置において含まれている少なくとも１つのアップリンク参照信号シンボルグループの時間単位は、時間スロットにおける時間単位であり得る。ノーマルサイクリックプレフィックスを所与として、時間スロットは、７つのシンボルを含み、各シンボルは時間単位に相当する。図８は、本発明の実施例２に係る時間スロット内に設計されたアップリンク参照信号シンボルグループの時間単位の概略構成図である。図８に示すように、時間スロットは７つのシンボル＃０から＃６を含む。時間スロットにおいて、現在のセルまたは近傍セルにおいて１ｍｓのＴＴＩを有する以前にリリースのユーザ端末に対応するアップリンク参照信号におけるＤＭ−ＲＳは、シンボル＃３上に現れ、アップリンク参照信号におけるＳＲＳは、シンボル＃６上に現れ得る。したがって、ノーマルサイクリックプレフィックスを所与として、ユーザ端末により送信されたアップリンク参照信号と、現在のセル又は近傍セルにおいて１ｍｓのＴＴＩを有する以前にリリースのユーザ端末により送信されたアップリンク参照信号との間の相互干渉を避けるために、１ｍｓのＴＴＩにおけるＳＲＳ及びＤＭ−ＲＳに対応するシンボルは避けることができる。この場合において、アップリンク参照信号位置における各アップリンク参照信号シンボルグループにおける時間単位は、シンボル＃３及び＃６以外のシンボルに対応する時間単位であり得る。すなわち、各アップリンク参照信号シンボルグループにおける時間単位は、シンボル＃０、＃１、＃２、＃４、又は＃５の少なくとも１つに対応する時間単位を含み得る。１ｍｓのＴＴＩにおけるＳＲＳのみを避けるために、各アップリンク参照信号シンボルグループにおける時間単位は、シンボル＃６以外のシンボルに対応する時間単位であり得、すなわち、各アップリンク参照信号シンボルグループにおける時間単位は、シンボル＃０、＃１、＃２、＃３、＃４、又は＃５の少なくとも１つに対応する時間単位を含み得る。１ｍｓのＴＴＩにおけるＤＭＲＳのみを避けるために、各アップリンク参照信号シンボルグループにおける時間単位は、シンボル＃３以外のシンボルに対応する時間単位であり得、すなわち、各アップリンク参照信号シンボルグループにおける時間単位は、シンボル＃０、＃１、＃２、＃４、＃５、又は＃６の少なくとも１つに対応する時間単位を含み得る。
【０１１０】
拡張サイクリックプレフィックスを所与として、時間スロットは、６つのシンボルを含み、各シンボルは、時間単位に相当する。図９は、本発明の実施例２に係る時間スロット内に設計されたアップリンク参照信号シンボルグループの時間単位の他の概略構成図である。図９に示すように、時間スロットは、６つのシンボル＃０から＃５を含み得る。時間スロットにおいて、現在のセルまたは近傍セルにおいて１ｍｓのＴＴＩを有する以前にリリースのユーザ端末に対応するアップリンク参照信号におけるＤＭ−ＲＳは、シンボル＃２上に現れ、アップリンク参照信号におけるＳＲＳは、＃５上に現れ得る。したがって、拡張サイクリックプレフィックスを所与として、ユーザ端末により送信されたアップリンク参照信号と、現在のセル又は近傍セルにおいて１ｍｓのＴＴＩを有する以前にリリースのユーザ端末により送信されたアップリンク参照信号との間の相互干渉を避けるために、１ｍｓのＴＴＩにおけるＳＲＳ及びＤＭ−ＲＳに対応するシンボルは避けることができる。この場合において、アップリンク参照信号位置における各アップリンク参照信号シンボルグループにおける時間単位は、２つのシンボル＃２及び＃５以外のシンボルに対応する時間単位であり得る。すなわち、各アップリンク参照信号シンボルグループにおける時間単位は、シンボル＃０、＃１、＃３、又は＃４の少なくとも１つに対応する時間単位を含み得る。１ｍｓのＴＴＩにおけるＳＲＳのみを避けるために、各アップリンク参照信号シンボルグループにおける時間単位は、シンボル＃５以外のシンボルに対応する時間単位であり得、すなわち、各アップリンク参照信号シンボルグループにおける時間単位は、シンボル＃０、＃１、＃２、＃３、又は＃４の少なくとも１つに対応する時間単位を含み得る。１ｍｓのＴＴＩにおけるＤＭＲＳのみを避けるために、各アップリンク参照信号シンボルグループにおける時間単位は、シンボル＃２以外のシンボルに対応する時間単位であり得、すなわち、各アップリンク参照信号シンボルグループにおける時間単位は、シンボル＃０、＃１、＃３、＃４、又は＃５の少なくとも１つに対応する時間単位を含み得る。
【０１１１】
例えば、アップリンク参照信号位置が、時間スロット内に設計されたアップリンク参照信号シンボルグループの時間単位を含む場合には、アップリンク参照信号位置において含まれている少なくとも１つのアップリンク参照信号シンボルグループの時間単位は、時間スロットにおける時間単位であり得る。ノーマルサイクリックプレフィックスを所与として、時間スロットは、７つのシンボルを含み得、各シンボルは１つの時間単位に対応する。図１０は、本発明の実施例２に係る時間スロットにおけるアップリンク参照信号位置の概略構成図である。時間スロットにおいて、シンボル＃０に対応する時間単位に加えられるサイクリックプレフィックス(Cyclic Prefix, 略してCP)が相対的に長く、時間単位のチャネル品質は、他の時間単位のチャネル品質との平均化を実施するには不適切である。２つのシンボル＃３及び＃６に対応する時間単位は、現在のセルまたは近傍セルにおいて１ｍｓのＴＴＩを有する以前にリリースのユーザ端末に対応するアップリンク参照信号の時間単位である。したがって、図１０に示すように、アップリンク参照信号位置は、４つのシンボル＃１、＃２、＃４、及び＃５に対応する時間単位を含み得る。４つのシンボルは、２つのアップリンク参照信号シンボルグループに分類され得る。２つのアップリンク参照信号シンボルグループの内の１つは、２つのシンボル＃１及び＃４に対応する時間単位を含み得、他方のアップリンク参照信号シンボルグループは、２つのシンボル＃２及び＃５に対応する時間単位を含み得る。図１０は、時間スロットにおけるアップリンク参照信号位置の単なる一例であることに留意すべきである。２つのアップリンク参照信号シンボルグループの内の１つは、２つのシンボル＃１及び＃５に対応する時間単位を含み得、他方のアップリンク参照信号シンボルグループは、２つのシンボル＃２及び＃４に対応する時間単位を含み得る。或いは、４つのＳＣ−ＦＤＭＡシンボルは、４つのアップリンク参照信号シンボルグループに分類されてもよい。ユーザ端末は、ユーザ端末に対応するアップリンク参照信号シンボルグループとして、第２上位層シグナリングにおけるユーザ端末に対応するアップリンク参照信号シンボルグループの指示情報、又は第１制御情報に従って、２又は４つのアップリンク参照信号シンボルグループから１つを選択し得る。
【０１１２】
或いは、時間単位は、プリセット時間間隔における時間単位であってよく、プリセット時間間隔は、ＧＰを含む。
【０１１３】
具体的には、プリセット時間間隔がＧＰを含む場合には、プリセット時間間隔は、ＧＰ内のアップリンク送信に利用可能なアイドル時間単位を実際には含む。
【０１１４】
例えば、アップリンク参照信号シンボルグループ時間単位構造が、ＴＤＤ通信システムにおけるＧＰ内で設計されている場合には、ノーマルサイクリックプレフィックスを所与として、スペシャルサブフレーム構成１において、ＧＰは、８つのシンボルを含み得、各シンボルは、時間単位と等しい。ＧＰでは、シンボル＃０から＃３が比較的ＤｗＰＴＳに近いため、ＴＤＤ通信システムにおけるユーザ端末のダウンリンク送信からアップリンク送信への切り替えは、まだ終了していない可能性があり、アップリンク参照信号位置における各アップリンク参照信号シンボルグループ内の時間単位は、シンボル＃４から＃７に対応する時間単位を含み得、すなわち、ユーザ端末は、シンボル＃４から＃７に対応する時間単位において、ユーザ端末に対応するアップリンク参照信号シンボルグループ内に含まれている少なくとも１つのシンボルに対応する時間単位でアップリンク参照信号を送信し得る。したがって、アップリンク参照信号位置は、４つのシンボル＃４、＃５、＃６、及び＃７に対応する時間単位を含み得る。４つのシンボルに対応する時間単位は、２つのアップリンク参照信号シンボルグループに分類され得る。２つのアップリンク参照信号シンボルグループの内の１つは、２つのシンボル＃４及び＃６に対応する時間単位を含み得、他方のアップリンク参照信号シンボルグループは、２つのシンボル＃５及び＃７に対応する時間単位を含み得、又は２つのアップリンク参照信号シンボルグループの内の１つは、２つのシンボル＃４及び＃７に対応する時間単位を含み、他方のアップリンク参照信号シンボルグループは、２つのシンボル＃５及び＃６に対応する時間単位を含んでもよい。或いは、４つのシンボルに対応する時間単位は、４つのアップリンク参照信号シンボルグループに分類されてもよい。ユーザ端末は、ユーザ端末に対応するアップリンク参照信号シンボルグループとして、第２上位層シグナリングにおけるユーザ端末に対応するアップリンク参照信号シンボルグループの指示情報、又は第１制御情報に従って、２又は４つのアップリンク参照信号シンボルグループから１つを選択し得る。
【０１１５】
任意選択的に、アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含む。
【０１１６】
アップリンク参照信号に対応するコードワード・シーケンスは、Zadoff-Chu(ZC)シーケンスを含み得る。ＺＣシーケンスの長さは、少なくとも１２コードワードである。したがって、アップリンク参照信号サブキャリアグループのそれぞれは、少なくとも１２のアップリンクサブキャリアを含み、各ユーザ端末は、ＺＣシーケンスの十分なコードワードを送信するために十分なサブキャリアを有している。
【０１１７】
具体的には、複数のユーザ端末内の各ユーザ端末は、アップリンク参照信号位置におけるアップリンク参照信号サブキャリアグループに対応し得、すなわち、ユーザ端末に対応するアップリンク参照信号シンボルグループに従って時分割多重化を実施することに基づいて、ユーザ端末に対応するアップリンク参照信号サブキャリアグループを使用して、複数のユーザ端末内の異なるユーザ端末のアップリンク参照信号に周波数分割多重化がさらに実施され得、符号分割多重化が、ユーザ端末に対応するアップリンク参照信号コードワードを用いてさらに実施され得る。したがって、時間領域リソースが限定されている(definite)場合には、本発明のこの実施形態のソリューションでは、周波数分割多重化を、異なるユーザ端末に対応するアップリンク参照信号にさらに実施することができる。任意選択的に、時間−周波数リソースが限定されている場合には、本発明のこの実施形態のソリューションでは、異なるユーザ端末に対応するアップリンク参照信号に時分割多重化及び周波数分割多重化を実施することに基づいて、アップリンク参照信号に符号分割多重化をさらに実施し得る。したがって、基地局によりサポートされるユーザ端末の数を増やすことができ、システム容量を増やすことができる。
【０１１８】
図１１は、本発明の実施例２に係るアップリンク参照信号送信方法のフローチャートである。図１１に示すように、任意選択的に、Ｓ３０３において、ユーザ端末が、ユーザ端末に対応するアップリンク参照信号シンボルグループの時間単位でアップリンク参照信号を送信することは、以下を含む。
【０１１９】
Ｓ１１０１：ユーザ端末は、アップリンク参照信号位置において、第２上位層シグナリング又は第１制御情報に従って、ユーザ端末に対応するアップリンク参照信号シンボルグループと、ユーザ端末に対応するアップリンク参照信号サブキャリアグループとを判定し、第２上位層シグナリング又は第１制御情報は、ユーザ端末に対応するアップリンク参照信号サブキャリアグループの指示情報をさらに含む。
【０１２０】
具体的には、ユーザ端末は、第２上位層シグナリングにおけるユーザ端末に対応するアップリンク参照信号シンボルグループの指示情報又は第１制御情報に従って、アップリンク参照信号位置における少なくとも１つのアップリンク参照信号シンボルグループから、ユーザ端末に対応するアップリンク参照信号シンボルグループを判定し得、ユーザ端末に対応するアップリンク参照信号サブキャリアグループの指示情報に従って、少なくとも１つのアップリンク参照信号サブキャリアグループから、ユーザ端末に対応するアップリンク参照信号サブキャリアグループを判定する。
【０１２１】
任意選択的に、Ｓ３０３において、ユーザ端末が、ユーザ端末に対応するアップリンク参照信号シンボルグループの時間単位でアップリンク参照信号を送信することは、以下を含む。
【０１２２】
Ｓ１１０２：ユーザ端末は、周波数領域においてユーザ端末に対応するアップリンク信号サブキャリアグループのサブキャリアで、時間領域においてユーザ端末に対応するアップリンク参照信号シンボルグループの時間単位でアップリンク参照信号を送信する。
【０１２３】
任意選択的に、少なくとも１２のサブキャリアの内の２つのサブキャリアごとに少なくとも１つのサブキャリアの周波数間隔が存在する。
【０１２４】
具体的には、ユーザ端末に対応するアップリンク参照信号サブキャリアグループが少なくとも１２のアップリンクサブキャリアを含む場合には、ユーザ端末は、２つのアップリンクサブキャリア間のすべてに少なくとも１つのアップリンクサブキャリアの周波数間隔が存在する少なくとも１２のアップリンクサブキャリアでアップリンク参照信号を送信する。このようにして、異なるユーザ端末は、くし状（comb-like）サブキャリア位置において送信を実施し得る。したがって、異なるユーザ端末に対応するアップリンク参照信号サブキャリアグループにおけるサブキャリアは、より離散的であり、限られたサブキャリアにおいてアップリンク参照信号を使用することにより、より広い周波数領域でチャネルサウンディングを実施することが基地局にとって都合がよい。
【０１２５】
図１２は、本発明の実施例２に係るアップリンク参照信号送信方法におけるアップリンク参照信号位置の決定方法のフローチャートである。図１２に示すように、任意選択的に、Ｓ３０１において、ユーザ端末が、第１上位層シグナリングに従って、アップリンク参照信号位置を判定することは、以下のステップを含み得る。
【０１２６】
Ｓ１２０１：ユーザ端末は、第１上位層シグナリングに従って、アップリンク参照信号位置情報を判定し、アップリンク参照信号位置情報は、周波数領域位置情報を含む。
【０１２７】
具体的には、周波数領域位置情報は、物理リソースブロック(PRB)インデックス、リソースブロックグループ(RBG)インデックス、仮想リソースブロック(VRB)インデックス、サブキャリアインデックス、又はサブキャリアグループインデックスを含み得る。
【０１２８】
ＰＲＢとＶＲＢは異なるリソース割り当てユニットである。ＰＲＢは、周波数領域において１２の連続したサブキャリアと、時間領域における１つの時間スロットのリソースを含む。ローカライズされたリソース割り当てにでは、ＶＲＢとＰＲＢの定義は、同じである。分散リソース割り当てでは、ＶＲＢとＰＲＢとの間に対応関係が存在する。ＰＲＢインデックスは、ＰＲＢのインデックスである。ＶＲＢインデックスは、ＶＲＢのインデックスである。したがって、ＰＲＢインデックスは、ＶＲＢインデックスとは異なっていてよい。ＲＢＧは、複数のＰＲＢを含み得、すなわち、ＲＢＧに含まれているＰＲＢの量は、ユーザ端末の帯域幅に従って決定されても、又は基地局により設定されてもよい。ＰＲＢインデックスは、ＰＲＢ数であり得る。ＲＢＧインデックスは、ＲＢＧ数であり得る。ＶＲＢインデックスは、ＶＲＢ数であり得る。サブキャリアインデックスは、サブキャリア数であり得る。サブキャリアグループインデックスは、サブキャリアグループ数であり得る。サブキャリアグループは、少なくとも１つのサブキャリアを含み得る。
【０１２９】
Ｓ１２０２：ユーザ端末は、周波数領域位置情報に従って、プリセットされた時間スロット又はプリセットされたサブフレームにおいてアップリンク参照信号位置を判定する。
【０１３０】
周波数領域位置情報に対応する周波数領域リソースは、基地局のキャリアの帯域幅内にある。すなわち、本発明のこの実施形態において、アップリンク参照信号位置における少なくとも１つのアップリンク参照信号シンボルグループの時間領域位置は、プリセット時間スロット又はプリセットサブフレーム内にあり得、周波数領域位置は、周波数領域位置情報により指示される位置である。
【０１３１】
或いは、本発明の実施例２は、アップリンク参照信号位置を決定するための別の方法をさらに提供する。図１３は、本発明の実施例２に係るアップリンク参照信号送信方法におけるアップリンク参照信号位置を決定する別の方法のフローチャートである。図１３に示すように、Ｓ３０１において、ユーザ端末が、第１上位層シグナリングに従って、アップリンク参照信号位置を判定することは、以下のステップを含み得る。
【０１３２】
Ｓ１３０１：ユーザ端末は、第１上位層シグナリングに従って、アップリンク参照信号位置情報を判定し得、アップリンク参照信号位置情報は、時間領域位置情報と、周波数領域位置情報とを含む。
【０１３３】
時間領域位置情報は、シンボルインデックス、シンボルグループインデックス、時間スロットインデックス、又はサブフレームインデックスを含み得る。シンボルは、１５ｋＨｚのサブキャリア間隔を有するＬＴＥ通信システムにおけるＯＦＤＭＡシンボル又はＳＣ−ＦＤＭＡシンボルか、又はより大きいサブキャリア間隔を有する通信システムにおけるシンボルであり得る。時間スロットは、１５ｋＨｚのサブキャリア間隔を有するＬＴＥ通信システムにおける０．５ｍｓ長の時間スロットか、又はより大きいサブキャリア間隔を有する通信システムにおける時間スロットであり得、例えば、６０ｋＨｚのサブキャリア間隔を有する通信システムにおける０．１２５ｍｓ長の時間スロットである。サブフレームは、１５ｋＨｚのサブキャリア間隔を有するＬＴＥシステムにおける１ｍｓサブフレームか、又はより大きいサブキャリア間隔を有する通信システムにおけるサブフレームであり得、例えば、６０ｋＨｚのサブキャリア間隔を有する通信システムにおける０．２５ｍｓ長のサブフレームである。
【０１３４】
Ｓ１３０２：ユーザ端末は、周波数領域位置情報と時間領域位置情報に従ってアップリンク参照信号位置を判定する。
【０１３５】
すなわち、アップリンク参照信号位置における少なくとも１つのアップリンク参照信号シンボルグループの時間領域位置は、時間領域位置情報により指示される時間領域位置であり得、周波数領域位置は、周波数領域位置情報により指示される周波数領域位置であり得る。
【０１３６】
任意選択的に、本発明の実施例２は、アップリンク参照信号を判定するための方法をさらに提供する。図１４は、本発明の実施例２に係るアップリンク参照信号送信方法のフローチャートである。図１４に示すように、任意選択的に、実施例１のＳ３０３においてユーザ端末が、ユーザ端末に対応するアップリンク参照信号シンボルグループの時間単位でアップリンク参照信号を送信する前に、方法は、以下のステップをさらに含み得る。
【０１３７】
Ｓ１４０１：ユーザ端末は、第３上位層シグナリング又は受信された物理チャネルの第２制御情報に従って、ユーザ端末に対応する少なくとも１つのコードワード・シーケンスを判定し、第３上位層シグナリング又は第２制御情報は、ユーザ端末に対応するコードワード・シーケンスの指示情報を含む。
【０１３８】
これに対応して、Ｓ３０３における、ユーザ端末がユーザ端末に対応するアップリンク参照信号シンボルグループの時間単位でアップリンク参照信号を送信することは、以下を含む。
【０１３９】
Ｓ１４０２：ユーザ端末は、ユーザ端末に対応する少なくとも１つのコードワード・シーケンスを使用して、ユーザ端末に対応するアップリンク参照信号シンボルグループの時間単位においてアップリンク参照信号を送信する。
【０１４０】
具体的には、ユーザ端末に対応する少なくとも１つのコードワード・シーケンスは、例えば、ＺＣシーケンスなどの疑似ランダムシーケンス又は直交シーケンスであり得る。ユーザ端末は、ユーザ端末に対応する少なくとも１つのコードワード・シーケンスを使用して、アップリンク参照信号を送信し得る。
【０１４１】
任意選択的に、時間単位は、ＳＣ−ＦＤＭＡシンボルに対応する時間単位か、又はＯＦＤＭＡシンボルに対応する時間単位であり得る。
【０１４２】
任意選択的に、本発明の各実施形態におけるアップリンク参照信号は、ＤＭＲＳ及び／又はＳＲＳを含み得る。
【０１４３】
本発明の実施例２により提供される各アップリンク参照信号送信方法において、各ユーザ端末が複数の時間単位内の非連続の時間単位でアップリンク参照信号を送信できるように、各アップリンク参照信号シンボルグループにおける複数の時間単位内の２つの時間単位の間のすべてに時間間隔がセットされる。これにより、ユーザ端末に対して基地局により実施される周波数オフセット推定の結果がより正確になることが保証される。加えて、本発明の実施例２の方法において、時間単位は、プリセット時間単位とは異なる時間単位であるため、ユーザ端末により送信されたアップリンク参照信号と、現在のセル又は近傍セルにおいて１ｍｓのＴＴＩを有する以前にリリースのユーザ端末により送信されたアップリンク参照信号との相互干渉を、さらに回避することができる。時間単位は、スペシャルサブフレームにおける時間単位を完全に使用することができる、ＧＰ内の少なくとも１つの時間間隔における時間単位でもあり得る。これは、アップリンクサブフレームにおけるアップリンク参照信号の時間単位を減少させ、アップリンクデータ送信を保証し、データ送信効率を改善する。
【０１４４】
本発明の実施例３は、アップリンク参照信号送信方法をさらに提供する。図１５は、本発明の実施例３に係るアップリンク参照信号送信方法のフローチャートである。図１５に示すように、方法は以下のステップを含み得る。
【０１４５】
Ｓ１５０１：基地局は、第１上位層シグナリングをユーザ端末に送信し、第１上位層シグナリングは、アップリンク参照信号位置を判定するためにユーザ端末により使用され、アップリンク参照信号位置は、少なくとも１つのアップリンク参照信号シンボルグループを含み、アップリンク参照信号シンボルグループのそれぞれは、少なくとも１つの時間単位を含む。
【０１４６】
Ｓ１５０２：基地局は、第２上位層シグナリングをユーザ端末に送信するか、又は物理チャネルを使用して、第１制御情報をユーザ端末に送信し、第２上位層シグナリング又は第１制御情報は、ユーザ端末に対応するアップリンク参照信号シンボルグループの指示情報を含み、ユーザ端末に対応するアップリンク参照信号シンボルグループの指示情報は、ユーザ端末に、アップリンク参照信号位置においてユーザ端末に対応するアップリンク参照信号シンボルグループを判定するように指示するために使用される。
【０１４７】
Ｓ１５０３：基地局は、ユーザ端末に対応するアップリンク参照信号シンボルグループの時間単位においてユーザ端末により送信されたアップリンク参照信号を受信する。
【０１４８】
任意選択的に、アップリンク参照信号シンボルグループのそれぞれが複数の時間単位を含んでいる場合には、少なくとも１つのシンボルの時間間隔が、複数の時間単位における２つの時間単位間のすべてに存在する。
【０１４９】
任意選択的に、時間単位は、プリセット時間単位とは異なる時間単位であり、プリセット時間単位は、１ｍｓのＴＴＩに対応するアップリンク参照信号の時間単位である。
【０１５０】
任意選択的に、時間単位は、プリセット時間間隔内の時間単位であり、プリセット時間間隔は、ＧＰを含む。
【０１５１】
任意選択的に、アップリンク参照信号位置は、少なくとも１つのアップリンク参照信号サブキャリアグループを含み、アップリンク参照信号サブキャリアグループのそれぞれは、少なくとも１２のアップリンクサブキャリアを含み、
第２上位層シグナリング又は第１制御情報は、ユーザ端末に対応するアップリンク参照信号サブキャリアグループの指示情報をさらに含み、ユーザ端末に対応するアップリンク参照信号サブキャリアグループの指示情報は、ユーザ端末に、アップリンク参照信号位置において、ユーザ端末に対応するアップリンク参照信号サブキャリアグループを判定するように指示するために使用され、
Ｓ１５０３において、基地局がユーザ端末に対応するアップリンク参照信号シンボルグループの時間単位においてユーザ端末により送信されたアップリンク参照信号を受信することは、
周波数領域においてユーザ端末に対応するアップリンク信号サブキャリアグループのサブキャリアで、時間領域においてユーザ端末に対応するアップリンク参照信号シンボルグループの時間単位でユーザ端末により送信されたアップリンク参照信号を、基地局が受信することを含み得る。
【０１５２】
任意選択的に、アップリンク参照信号サブキャリアグループのそれぞれが、少なくとも１２のアップリンクサブキャリアを含む場合には、少なくとも１２のサブキャリアの内の２つのサブキャリアごとに少なくとも１つのサブキャリアの周波数間隔が存在する。
【０１５３】
任意選択的に、第１上位層シグナリングは、アップリンク参照信号位置情報を含み、アップリンク参照信号位置情報は、周波数領域位置情報を含み、
周波数領域位置情報は、ユーザ端末によりプリセット時間スロット又はサブフレームにおけるアップリンク参照信号位置を判定するために使用される。
【０１５４】
或いは、第１上位層シグナリングは、アップリンク参照信号位置情報を含み、アップリンク参照信号位置情報は、時間領域位置情報と、周波数領域位置情報とを含み、
時間領域位置情報と周波数領域位置情報は、ユーザ端末によりアップリンク参照信号位置を判定するために使用される。
【０１５５】
任意選択的に、方法は、
基地局は、Ｘ２インターフェースを使用して、アップリンク参照信号位置情報を別の基地局に送信し、アップリンク参照信号位置情報は、基地局のアップリンク参照信号位置とは異なる別の基地局のアップリンク参照信号位置を作成するために使用されることをさらに含む。
【０１５６】
任意選択的に、Ｓ１５０３において、基地局が、ユーザ端末に対応するアップリンク参照信号シンボルグループの時間単位におけるユーザ端末により送信されたアップリンク参照信号を受信する前に、方法は、
基地局が、第３上位層シグナリングをユーザ端末に送信するか、又は物理チャネルを使用して、第２制御情報をユーザ端末に送信することをさらに含み、第３上位層シグナリング又は第２制御情報は、ユーザ端末に対応するコードワード・シーケンスの指示情報を含み、ユーザ端末に対応するコードワード・シーケンスの指示情報は、ユーザ端末に、ユーザ端末に対応する少なくとも１つのコードワード・シーケンスを判定するように指示するために使用され、
これに対応して、Ｓ１５０３において、基地局がユーザ端末に対応するアップリンク参照信号シンボルグループの時間単位においてユーザ端末により送信されたアップリンク参照信号を受信することは、
基地局が、ユーザ端末に対応する少なくとも１つのコードワード・シーケンスを使用して、ユーザ端末に対応するアップリンク参照信号シンボルグループの時間単位におけるユーザ端末により送信されたアップリンク参照信号を受信することを含む。
【０１５７】
任意選択的に、時間単位は、ＳＣ−ＦＤＭＡシンボルに対応する時間単位か、又はＯＦＤＭＡシンボルに対応する時間単位である。
【０１５８】
任意選択的に、アップリンク参照信号は、ＤＭＲＳ及び／又はＳＲＳを含み得る。
【０１５９】
本発明の実施例３におけるアップリンク参照信号送信方法は、実施例１又は２におけるアップリンク参照信号送信方法に対応する送信方法である。この方法の有益な効果は、前述の実施形態のものと同様である。詳細は本明細書ではこれ以上説明しない。
【０１６０】
本発明の実施例４は、アップリンク参照信号送信方法をさらに提供する。基地局のセルが第１ユーザ端末と第２ユーザ端末を含むと仮定すると、図１６Ａ及び図１６Ｂは、本発明の実施例４に係るアップリンク参照信号送信方法のフローチャートである。図１６Ａ及び図１６Ｂに示すように、方法は、以下のステップを含み得る。
【０１６１】
Ｓ１６０１：基地局は第１アップリンク参照信号位置情報を第１ユーザ端末に送信し、第１アップリンク参照信号位置情報は、第１時間領域位置情報及び第１周波数領域位置情報を含む。
【０１６２】
基地局は、上位層シグナリングを使用して、第１アップリンク参照信号位置情報を第１ユーザ端末に送信し得る。
【０１６３】
Ｓ１６０２：基地局は、第２アップリンク参照信号位置情報を第２ユーザ端末に送信し、第２アップリンク参照信号位置情報は、第２時間領域位置情報及び第２周波数領域位置情報を含む。
【０１６４】
基地局は、上位層シグナリングを使用して、第２アップリンク参照信号位置情報を第２ユーザ端末にも送信してもよい。基地局により第１アップリンク参照信号位置情報を送信するための上位層シグナリングと、基地局により第２アップリンク参照信号位置情報を送信するための上位層シグナリングは、同じであっても違っていてもよい。
【０１６５】
Ｓ１６０３：基地局は、物理チャネルを使用して第１ユーザ端末に、第１ユーザ端末に対応するアップリンク参照信号シンボルグループの指示情報と、第１ユーザ端末に対応するアップリンク参照信号サブキャリアグループの指示情報を送信する。
【０１６６】
物理チャネルは、ＰＤＣＣＨ又はＥＰＤＣＣＨなどの任意のダウンリンク物理チャネルであってよい。
【０１６７】
Ｓ１６０４：基地局は、物理チャネルを使用して第２ユーザ端末に、第２ユーザ端末に対応するアップリンク参照信号シンボルグループの指示情報と、第２ユーザ端末に対応するアップリンク参照信号サブキャリアグループの指示情報を送信する。
【０１６８】
基地局により、第１ユーザ端末に対応するアップリンク参照信号シンボルグループの指示情報と、第１ユーザ端末に対応するアップリンク参照信号サブキャリアグループの指示情報とを送信するための物理チャネルは、第２ユーザ端末に対応するアップリンク参照信号シンボルグループの指示情報と、第２ユーザ端末に対応するアップリンク参照信号サブキャリアグループの指示情報とを送信するための物理チャネルとは同じであっても異なっていてもよい。
【０１６９】
Ｓ１６０５：基地局は、第１アップリンク参照信号位置情報と第２アップリンク参照信号位置情報を、Ｘ２インターフェースを使用して、別の基地局に送信し、第１アップリンク参照信号位置情報と第２アップリンク参照信号位置情報は、基地局のアップリンク参照信号位置とは異なる別の基地局のアップリンク参照信号位置を作るために使用される。
【０１７０】
基地局のアップリンク参照信号位置は、第１アップリンク参照信号位置と、第２アップリンク参照信号位置とを含み得る。
【０１７１】
Ｓ１６０６：第１ユーザ端末は、第１時間領域位置情報と第１周波数領域位置情報とに従って、第１アップリンク参照信号位置を判定し、第１アップリンク参照信号位置において、第１ユーザ端末に対応するアップリンク参照信号シンボルグループの指示情報と第１ユーザ端末に対応するアップリンク参照信号サブキャリアグループの指示情報とに従って、第１ユーザ端末に対応するアップリンク参照信号シンボルグループと第１ユーザ端末に対応するアップリンク参照信号サブキャリアグループを判定する。
【０１７２】
Ｓ１６０７：基地局は、第１コードワード・シーケンスの指示情報を第１ユーザ端末に送信する。
【０１７３】
基地局は、上位層シグナリング又は物理チャネルを使用して、第１コードワード・シーケンスの指示情報を第１ユーザ端末に送信し得る。
【０１７４】
Ｓ１６０８：第１ユーザ端末は、第１コードワード・シーケンスの指示情報に従って、第１ユーザ端末に対応する第１コードワード・シーケンスを判定し、周波数領域において第１ユーザ端末に対応するアップリンク参照信号サブキャリアグループのサブキャリアで、時間領域において第１ユーザ端末に対応するアップリンク参照信号シンボルグループの時間単位で第１ユーザ端末のアップリンク参照信号を、第１コードワード・シーケンスを使用して基地局に送信する。
【０１７５】
Ｓ１６０９：第２ユーザ端末は、第２時間領域位置情報と第２周波数領域位置情報に従って、第２アップリンク参照信号位置を判定し、第２ユーザ端末に対応するアップリンク参照信号シンボルグループの指示情報と、第２ユーザ端末に対応するアップリンク参照信号サブキャリアグループの指示情報とに従って、第２アップリンク参照信号位置において、第２ユーザ端末に対応するアップリンク参照信号シンボルグループと、第２ユーザ端末に対応するアップリンク参照信号サブキャリアグループを判定する。
【０１７６】
第２ユーザ端末により判定された第２アップリンク参照信号位置と、第１ユーザ端末により判定された第１アップリンク参照信号位置は、同じであっても異なっていてもよい。第２ユーザ端末により判定された第２ユーザ端末に対応するアップリンク参照信号シンボルグループと、第１ユーザ端末により判定された第１ユーザ端末に対応するアップリンク参照信号シンボルグループは、同じであっても異なっていてもよい。第２ユーザ端末により判定された第２ユーザ端末に対応するアップリンク参照信号サブキャリアグループと、第１ユーザ端末により判定された第１ユーザ端末に対応するアップリンク参照信号サブキャリアグループは、同じであっても異なっていてもよい。
【０１７７】
Ｓ１６１０：基地局は、第２コードワード・シーケンスの指示情報を第２ユーザ端末に送信する。
【０１７８】
基地局は、上位層シグナリング又は物理チャネルを使用して、第２コードワード・シーケンスの指示情報を第２ユーザ端末に送信し得る。基地局は、第１コードワード・シーケンスの指示情報と、第２コードワード・シーケンスの指示情報を、同じ又は異なる上位層シグナリングを使用して送信し得、又は第１コードワード・シーケンスの指示情報と、第２コードワード・シーケンスの指示情報を、同じ又は異なる物理チャネルを使用して送信し得る。基地局は、第１コードワード・シーケンスの指示情報を、上位層シグナリングを使用して送信し、第２コードワード・シーケンスの指示情報を、物理チャネルを使用して送信してもよい。逆に、基地局は、第２コードワード・シーケンスの指示情報を、上位層シグナリングを使用して送信し、第１コードワード・シーケンスの指示情報を、物理チャネルを使用して送信してもよい。
【０１７９】
Ｓ１６１１：第２ユーザ端末は、第２コードワード・シーケンスの指示情報に従って、第２ユーザ端末の第２コードワード・シーケンス判定し、周波数領域における第２ユーザ端末に対応するアップリンク参照信号サブキャリアグループのサブキャリアで、時間領域における第２ユーザ端末に対応するアップリンク参照信号シンボルグループの時間単位で、第２ユーザ端末のアップリンク参照信号を、第２コードワード・シーケンスを使用して基地局に送信する。
【０１８０】
Ｓ１６１２：基地局は、周波数領域において第１ユーザ端末に対応するアップリンク参照信号サブキャリアグループで、時間領域において第１ユーザ端末に対応するアップリンク参照信号シンボルグループにおいて、第１コードワード・シーケンスを使用して第１ユーザ端末により送信された第１ユーザ端末のアップリンク参照信号を受信し、周波数領域における第２ユーザ端末に対応するアップリンク参照信号サブキャリアグループのサブキャリアで、時間領域における第２ユーザ端末に対応するアップリンク参照信号シンボルグループの時間単位で、第２コードワード・シーケンスを使用して第２ユーザ端末により送信された第２ユーザ端末のアップリンク参照信号を受信する。
【０１８１】
上述の実施形態では、本発明の実施例４におけるアップリンク参照信号送信方法を、具体例を使用して説明した。この方法の有益な効果は、前述の実施形態のものと同様である。詳細は本明細書ではこれ以上説明しない。
【０１８２】
本発明の実施例５は、ユーザ端末をさらに提供する。この実施形態において提供されるユーザ端末は、実施例１又は実施例２におけるアップリンク参照信号送信方法を実施するように構成され得る。図１７は、本発明の実施例５に係るユーザ端末の概略構成図である。図１７に示すように、ユーザ端末１７００は、判定モジュール１７０１と、送信モジュール１７０２とを含み得る。
【０１８３】
判定モジュール１７０１は、第１上位層シグナリングに従って、アップリンク参照信号位置を判定し、アップリンク参照信号位置は、少なくとも１つのアップリンク参照信号シンボルグループを含み、アップリンク参照信号シンボルグループのそれぞれは、少なくとも１つの時間単位を含み、第２上位層シグナリングか、又は受信された物理チャネルの第１制御情報に従って、アップリンク参照信号位置において、ユーザ端末に対応するアップリンク参照信号シンボルグループを判定し、第２上位層シグナリング又は第１制御情報は、ユーザ端末に対応するアップリンク参照信号シンボルグループの指示情報を含むように構成される。
【０１８４】
送信モジュール１７０２は、ユーザ端末に対応するアップリンク参照信号シンボルグループの時間単位においてアップリンク参照信号を送信するように構成されている。
【０１８５】
任意選択的に、アップリンク参照信号シンボルグループのそれぞれが複数の時間単位を含んでいる場合には、複数の時間単位における２つの単位時間の間のすべてに少なくとも１つの時間単位の時間間隔が存在する。
【０１８６】
任意選択的に、時間単位は、プリセット時間単位とは異なる時間単位であり、プリセット時間単位は、１ｍｓのＴＴＩに対応するアップリンク参照信号の時間単位である。
【０１８７】
任意選択的に、時間単位は、プリセット時間間隔内の時間単位を含み、プリセット時間間隔は、ガード期間を含む。
【０１８８】
任意選択的に、アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
判定モジュール１７０１は、第２上位層シグナリング又は第１制御情報に従ってアップリンク参照信号位置において、ユーザ端末に対応するアップリンク参照信号シンボルグループと、ユーザ端末に対応するアップリンク参照信号サブキャリアグループとを判定するようにさらに構成され、第２上位層シグナリング又は第１制御情報は、ユーザ端末に対応するアップリンク参照信号サブキャリアグループの指示情報をさらに含み、
送信モジュール１７０２は、周波数領域においてユーザ端末に対応するアップリンク信号サブキャリアグループのサブキャリアで、時間領域においてユーザ端末に対応するアップリンク参照信号シンボルグループの時間単位でアップリンク参照信号を送信するように特に構成されている。
【０１８９】
任意選択的に、少なくとも１つのサブキャリアの周波数間隔が、少なくとも１２のアップリンクサブキャリアにおける２つのサブキャリア間のすべてに存在する。
【０１９０】
任意選択的に、判定モジュール１７０１は、第１上位層シグナリングに従って、アップリンク参照信号位置情報を判定し、アップリンク参照信号位置情報は、周波数領域位置情報を含み、周波数領域位置情報に従って、プリセット時間スロット又はサブフレームにおけるアップリンク参照信号位置を判定するようにさらに構成される。
【０１９１】
任意選択的に、判定モジュール１７０１は、第１上位層シグナリングに従って、アップリンク参照信号位置情報を判定し、アップリンク参照信号位置情報は、時間領域位置情報と、周波数領域位置情報とを含み、周波数領域位置情報及び時間領域位置情報に従って、アップリンク参照信号位置を判定するようにさらに構成される。
【０１９２】
任意選択的に、判定モジュール１７０１は、第３上位層シグナリング又は受信された物理チャネルの第２制御情報に従って、ユーザ端末に対応する少なくとも１つのコードワード・シーケンスを判定するようにさらに構成され、第３上位層シグナリング又は第２制御情報は、ユーザ端末に対応するコードワード・シーケンスの指示情報を含み、
送信モジュール１７０２は、ユーザ端末に対応する少なくとも１つのコードワード・シーケンスを用いて、ユーザ端末に対応するアップリンク参照信号シンボルグループの時間単位においてアップリンク参照信号を送信するように特に構成されている。
【０１９３】
任意選択的に、時間単位は、ＳＣ−ＦＤＭＡシンボルに対応する時間単位か、又はＯＦＤＭＡシンボルに対応する時間単位である。
【０１９４】
本発明の実施例５により提供されるユーザ端末は、実施例１又は実施例２におけるアップリンク参照信号送信方法を実施し得る。ユーザ端末の有益な効果及び実装プロセスについては、先の実施形態の説明を参照されたい。詳細は本明細書ではこれ以上説明しない。
【０１９５】
本発明の実施例６は、基地局をさらに提供する。実施例６における基地局は、実施例３におけるアップリンク参照信号送信方法を実施し得る。図１８は、本発明の実施例６に係る基地局の概略構成図である。図１８に示すように、基地局１８００は、送信モジュール１８０１と、受信モジュール１８０２とを含む。
【０１９６】
送信モジュール１８０１は、第１上位層シグナリングをユーザ端末に送信し、第２上位層シグナリングをユーザ端末に送信するか、又は物理チャネルを使用して第１制御情報をユーザ端末に送信するように構成され、第１上位層シグナリングは、アップリンク参照信号位置を判定するためにユーザ端末により使用され、アップリンク参照信号位置は、少なくとも１つのアップリンク参照信号シンボルグループを含み、 アップリンク参照信号シンボルグループのそれぞれは、少なくとも１つの時間単位を含み、第２上位層シグナリング又は第１制御情報は、ユーザ端末に対応するアップリンク参照信号シンボルグループの指示情報を含み、ユーザ端末に対応するアップリンク参照信号シンボルグループの指示情報は、ユーザ端末に、アップリンク参照信号位置においてユーザ端末に対応するアップリンク参照信号シンボルグループを判定するように指示するために使用される。
【０１９７】
受信モジュール１８０２は、ユーザ端末に対応するアップリンク参照信号シンボルグループの時間単位において、ユーザ端末により送信されたアップリンク参照信号を受信するように構成されている。
【０１９８】
任意選択的に、アップリンク参照信号シンボルグループのそれぞれが複数の時間単位を含んでいる場合には、少なくとも１つのシンボルの時間間隔が、複数の時間単位における２つの時間単位間のすべてに存在する。
【０１９９】
任意選択的に、時間単位は、プリセット時間単位とは異なる時間単位であり、プリセット時間単位は、１ｍｓのＴＴＩに対応するアップリンク参照信号の時間単位である。
【０２００】
任意選択的に、時間単位は、プリセット時間間隔内の時間単位であり、プリセット時間間隔は、ＧＰを含む。
【０２０１】
任意選択的に、アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
第２上位層シグナリング又は第１制御情報は、ユーザ端末に対応するアップリンク参照信号サブキャリアグループの指示情報をさらに含み、ユーザ端末に対応するアップリンク参照信号サブキャリアグループの指示情報は、ユーザ端末に、アップリンク参照信号位置において、ユーザ端末に対応するアップリンク参照信号サブキャリアグループを判定するように指示するために使用され、
受信モジュール１８０２は、周波数領域においてユーザ端末に対応するアップリンク信号サブキャリアグループのサブキャリアで、時間領域においてユーザ端末に対応するアップリンク参照信号シンボルグループの時間単位でユーザ端末により送信されたアップリンク参照信号を受信するように特に構成されている。
【０２０２】
任意選択的に、少なくとも１２のサブキャリアの内の２つのサブキャリアごとに少なくとも１つのサブキャリアの周波数間隔が存在する。
【０２０３】
任意選択的に、第１上位層シグナリングは、アップリンク参照信号位置情報を含み、アップリンク参照信号位置情報は、周波数領域位置情報を含み、
周波数領域位置情報は、ユーザ端末によりプリセット時間スロット又はサブフレームにおけるアップリンク参照信号位置を判定するために使用される。
【０２０４】
任意選択的に、第１上位層シグナリングは、アップリンク参照信号位置情報を含み、アップリンク参照信号位置情報は、時間領域位置情報と、周波数領域位置情報とを含み、
時間領域位置情報と周波数領域位置情報は、ユーザ端末によりアップリンク参照信号位置を判定するために使用される。
【０２０５】
任意選択的に、送信モジュール１８０１は、Ｘ２インターフェースを使用してアップリンク参照信号位置情報を別の基地局に送信するように特に構成され、アップリンク参照信号位置情報は、基地局のアップリンク参照信号位置とは異なる別の基地局のアップリンク参照信号位置を作成するために使用される。
【０２０６】
任意選択的に、送信モジュール１８０１は、第３上位層シグナリングをユーザ端末に送信するか、又は物理チャネルを使用して第２制御情報をユーザ端末に送信するようにさらに構成され、第３上位層シグナリング又は第２制御情報は、ユーザ端末に対応するコードワード・シーケンスの指示情報を含み、ユーザ端末に対応するコードワード・シーケンスの指示情報は、ユーザ端末に、ユーザ端末に対応する少なくとも１つのコードワード・シーケンスを判定するように指示するために使用され、
受信モジュール１８０２は、ユーザ端末に対応するアップリンク参照信号シンボルグループの時間単位におけるユーザ端末により送信されたアップリンク参照信号を、ユーザ端末に対応する少なくとも１つのコードワード・シーケンスを使用して受信するように特に構成されている。
【０２０７】
任意選択的に、時間単位は、ＳＣ−ＦＤＭＡシンボルに対応する時間単位か、又はＯＦＤＭＡシンボルに対応する時間単位である。
【０２０８】
本発明の実施例６により提供される基地局は、実施例３におけるアップリンク参照信号送信方法を実施し得る。基地局の有益な効果及び実装プロセスについては、先の実施形態の説明を参照されたい。詳細は本明細書ではこれ以上説明しない。
【０２０９】
本発明の実施例７は、ユーザ端末をさらに提供する。図１９は、本発明の実施例７に係るユーザ端末の概略構成図である。図１９に示すように、ユーザ端末１９００は、プロセッサ１９０１と、送信機１９０２とを含み得る。
【０２１０】
プロセッサ１９０１は、第１上位層シグナリングに従って、アップリンク参照信号位置を判定し、アップリンク参照信号位置は、少なくとも１つのアップリンク参照信号シンボルグループを含み、アップリンク参照信号シンボルグループのそれぞれは、少なくとも１つの時間単位を含み、第２上位層シグナリングか、又は受信された物理チャネルの第１制御情報に従って、アップリンク参照信号位置において、ユーザ端末に対応するアップリンク参照信号シンボルグループを判定し、第２上位層シグナリング又は第１制御情報は、ユーザ端末に対応するアップリンク参照信号シンボルグループの指示情報を含むように構成されている。
【０２１１】
送信機１９０２は、ユーザ端末に対応するアップリンク参照信号シンボルグループの時間単位においてアップリンク参照信号を送信するように構成されている。
【０２１２】
任意選択的に、アップリンク参照信号シンボルグループのそれぞれが複数の時間単位を含んでいる場合には、複数の時間単位における２つの単位時間の間のすべてに少なくとも１つの時間単位の時間間隔が存在する。
【０２１３】
任意選択的に、時間単位は、プリセット時間単位とは異なる時間単位であり、プリセット時間単位は、１ｍｓのＴＴＩに対応するアップリンク参照信号の時間単位である。
【０２１４】
任意選択的に、時間単位は、プリセット時間間隔内の時間単位を含み、プリセット時間間隔は、ガード期間を含む。
【０２１５】
任意選択的に、アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
プロセッサ１９０１は、第２上位層シグナリング又は第１制御情報に従ってアップリンク参照信号位置において、ユーザ端末に対応するアップリンク参照信号シンボルグループと、ユーザ端末に対応するアップリンク参照信号サブキャリアグループとを判定するようにさらに構成され、第２上位層シグナリング又は第１制御情報は、ユーザ端末に対応するアップリンク参照信号サブキャリアグループの指示情報をさらに含み、
送信機１９０２は、周波数領域においてユーザ端末に対応するアップリンク信号サブキャリアグループのサブキャリアで、時間領域においてユーザ端末に対応するアップリンク参照信号シンボルグループの時間単位でアップリンク参照信号を送信するように特に構成されている。
【０２１６】
任意選択的に、少なくとも１つのサブキャリアの周波数間隔が、少なくとも１２のアップリンクサブキャリアにおける２つのサブキャリア間のすべてに存在する。
【０２１７】
任意選択的に、プロセッサ１９０１は、第１上位層シグナリングに従って、アップリンク参照信号位置情報を判定し、アップリンク参照信号位置情報は、周波数領域位置情報を含み、周波数領域位置情報に従って、プリセット時間スロット又はサブフレームにおけるアップリンク参照信号位置を判定するようにさらに構成されている。
【０２１８】
任意選択的に、プロセッサ１９０１は、第１上位層シグナリングに従って、アップリンク参照信号位置情報を判定し、アップリンク参照信号位置情報は、時間領域位置情報と、周波数領域位置情報とを含み、周波数領域位置情報及び時間領域位置情報に従って、アップリンク参照信号位置を判定するようにさらに構成されている。
【０２１９】
任意選択的に、プロセッサ１９０１は、第３上位層シグナリング又は受信された物理チャネルの第２制御情報に従って、ユーザ端末に対応する少なくとも１つのコードワード・シーケンスを判定するようにさらに構成され、第３上位層シグナリング又は第２制御情報は、ユーザ端末に対応するコードワード・シーケンスの指示情報を含み、
送信機１９０２は、ユーザ端末に対応する少なくとも１つのコードワード・シーケンスを用いて、ユーザ端末に対応するアップリンク参照信号シンボルグループの時間単位においてアップリンク参照信号を送信するように特に構成されている。
【０２２０】
任意選択的に、時間単位は、ＳＣ−ＦＤＭＡシンボルに対応する時間単位か、又はＯＦＤＭＡシンボルに対応する時間単位である。
【０２２１】
本発明の実施例７により提供されるユーザ端末は、実施例１又は実施例２におけるアップリンク参照信号送信方法を実施し得る。ユーザ端末の有益な効果及び実装プロセスについては、先の実施形態の説明を参照されたい。詳細は本明細書ではこれ以上説明しない。
【０２２２】
本発明の実施例８は、基地局をさらに提供する。図２０は、本発明の実施例８に係る基地局の概略構成図である。図２０に示すように、基地局２０００は、送信機２００１と、受信機２００２とを含む。
【０２２３】
送信機２００１は、第１上位層シグナリングをユーザ端末に送信し、第２上位層シグナリングをユーザ端末に送信するか、又は物理チャネルを使用して第１制御情報をユーザ端末に送信するように構成され、第１上位層シグナリングは、アップリンク参照信号位置を判定するためにユーザ端末により使用され、アップリンク参照信号位置は、少なくとも１つのアップリンク参照信号シンボルグループを含み、アップリンク参照信号シンボルグループのそれぞれは、少なくとも１つの時間単位を含み、第２上位層シグナリング又は第１制御情報は、ユーザ端末に対応するアップリンク参照信号シンボルグループの指示情報を含み、ユーザ端末に対応するアップリンク参照信号シンボルグループの指示情報は、ユーザ端末に、アップリンク参照信号位置においてユーザ端末に対応するアップリンク参照信号シンボルグループを判定するように指示するために使用される。
【０２２４】
受信機２００２は、ユーザ端末に対応するアップリンク参照信号シンボルグループの時間単位において、ユーザ端末により送信されたアップリンク参照信号を受信するように構成されている。
【０２２５】
任意選択的に、アップリンク参照信号シンボルグループのそれぞれが複数の時間単位を含んでいる場合には、少なくとも１つのシンボルの時間間隔が、複数の時間単位における２つの時間単位間のすべてに存在する。
【０２２６】
任意選択的に、時間単位は、プリセット時間単位とは異なる時間単位であり、プリセット時間単位は、１ｍｓのＴＴＩに対応するアップリンク参照信号の時間単位である。
【０２２７】
任意選択的に、時間単位は、プリセット時間間隔内の時間単位であり、プリセット時間間隔は、ＧＰを含む。
【０２２８】
任意選択的に、アップリンク参照信号位置は、少なくとも１つのアップリンク参照信号サブキャリアグループをさらに含み、アップリンク参照信号サブキャリアグループのそれぞれは、少なくとも１２のアップリンクサブキャリアを含み、
第２上位層シグナリング又は第１制御情報は、ユーザ端末に対応するアップリンク参照信号サブキャリアグループの指示情報をさらに含み、ユーザ端末に対応するアップリンク参照信号サブキャリアグループの指示情報は、ユーザ端末に、アップリンク参照信号位置において、ユーザ端末に対応するアップリンク参照信号サブキャリアグループを判定するように指示するために使用され、
受信機２００２は、周波数領域においてユーザ端末に対応するアップリンク信号サブキャリアグループのサブキャリアで、時間領域においてユーザ端末に対応するアップリンク参照信号シンボルグループの時間単位でユーザ端末により送信されたアップリンク参照信号を受信するように特に構成されている。
【０２２９】
任意選択的に、少なくとも１２のサブキャリアの内の２つのサブキャリアごとに少なくとも１つのサブキャリアの周波数間隔が存在する。
【０２３０】
任意選択的に、第１上位層シグナリングは、アップリンク参照信号位置情報を含み、アップリンク参照信号位置情報は、周波数領域位置情報を含み、
周波数領域位置情報は、ユーザ端末によりプリセット時間スロット又はサブフレームにおけるアップリンク参照信号位置を判定するために使用される。
【０２３１】
任意選択的に、第１上位層シグナリングは、アップリンク参照信号位置情報を含み、アップリンク参照信号位置情報は、時間領域位置情報と、周波数領域位置情報とを含み、
時間領域位置情報と周波数領域位置情報は、ユーザ端末によりアップリンク参照信号位置を判定するために使用される。
【０２３２】
任意選択的に、送信機２００１は、Ｘ２インターフェースを使用してアップリンク参照信号位置情報を別の基地局に送信するように特に構成され、アップリンク参照信号位置情報は、基地局のアップリンク参照信号位置とは異なる別の基地局のアップリンク参照信号位置を作成するために使用される。
【０２３３】
任意選択的に、送信機２００１は、第３上位層シグナリングをユーザ端末に送信するか、又は物理チャネルを使用して第２制御情報をユーザ端末に送信するようにさらに構成され、第３上位層シグナリング又は第２制御情報は、ユーザ端末に対応するコードワード・シーケンスの指示情報を含み、ユーザ端末に対応するコードワード・シーケンスの指示情報は、ユーザ端末に、ユーザ端末に対応する少なくとも１つのコードワード・シーケンスを判定するように指示するために使用され、
受信機２００２は、ユーザ端末に対応するアップリンク参照信号シンボルグループの時間単位におけるユーザ端末により送信されたアップリンク参照信号を、ユーザ端末に対応する少なくとも１つのコードワード・シーケンスを使用して受信するように特に構成されている。
【０２３４】
任意選択的に、時間単位は、ＳＣ−ＦＤＭＡシンボルに対応する時間単位か、又はＯＦＤＭＡシンボルに対応する時間単位である。
【０２３５】
本発明の実施例８により提供される基地局は、実施例３におけるアップリンク参照信号送信方法を実施し得る。基地局の有益な効果及び実装プロセスについては、先の実施形態の説明を参照されたい。詳細は本明細書ではこれ以上説明しない。
【０２３６】
本発明の実施例９は、ネットワークシステムをさらに提供する。図２１は、本発明の実施例９に係るネットワークシステムの概略構成図である。図２１に示すように、ネットワークシステム２１００は、少なくとも１つの基地局のそれぞれのセル内に、少なくとも１つの基地局２１０１と、少なくとも１つのユーザ端末２１０２とを含み得る。
【０２３７】
少なくとも１つの基地局２１０１のそれぞれは、実施例６又は実施例８における基地局であり得、実施例３により提供されるアップリンク参照信号送信方法を実施し得る。各基地局の具体的な構造については、実施例６又は実施例８における基地局を参照されたい。詳細は本明細書ではこれ以上説明しない。少なくとも１つのユーザ端末２１０２のそれぞれは、実施例５又は実施例７におけるユーザ端末であり得、実施例１又は実施例２におけるアップリンク参照信号送信方法を実施し得る。各ユーザ端末の具体的な構造については、実施例５又は実施例７におけるユーザ端末を参照されたい。詳細は本明細書ではこれ以上説明しない。各基地局のセルにおける少なくとも１つの基地局２１０１と少なくとも１つのユーザ端末２１０２のそれぞれは、実施例４におけるアップリンク参照信号送信方法を共同して実施し得る。ネットワークシステム２１００が、少なくとも２つの基地局２１０１を含む場合には、Ｘ２インターフェースを使用して、少なくとも２つの基地局２１０１における２つの基地局の間のすべてでメッセージが送信され得る。
【０２３８】
本発明の実施例９により提供されるネットワークシステムにおいて、基地局及びユーザ端末は、先の実施形態により提供されたアップリンク参照信号送信方法を実施し得る。ネットワークシステムの有益な効果は、先の実施形態のそれと同様である。詳細は本明細書ではこれ以上説明しない。
【０２３９】
当業者であれば、方法の実施形態のステップのすべて又は一部が、関連するハードウェアを指示するプログラムにより実施され得ることを理解し得る。プログラムは、コンピュータ可読記憶媒体に格納され得る。プログラムが実行されると、方法の実施形態のステップが実施される。先の記憶媒体は、ＲＯＭ，ＲＡＭ、磁気ディスク、又は光学ディスクなどのプログラムコードを格納可能な任意の媒体が含まれる。
【０２４０】
最後に、前述の実施形態が、単に、本発明の技術的解決策を説明するためのものであって、本発明を限定するためのものではないことに留意されたい。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、その一部またはすべての技術的特徴に対する同等の置換を行うことができることを理解するに違いない。
【符号の説明】
【０２４１】
１７００  ユーザ端末
１７０１  判定モジュール
１７０２  送信モジュール
１８００  基地局
１８０１  送信モジュール
１８０２  受信モジュール
１９００  ユーザ端末
１９０１  プロセッサ
１９０２  送信機
２０００  基地局
２００１  送信機
２００２  受信機
２１００  ネットワークシステム
２１０１  基地局
２１０２  ユーザ端末
【図１】
0006607625.tif 000004
【図２】
0006607625.tif 000005
【図３】
0006607625.tif 000006
【図４】
0006607625.tif 000007
【図５】
0006607625.tif 000008
【図６】
0006607625.tif 000009
【図７】
0006607625.tif 000010
【図８】
0006607625.tif 000011
【図９】
0006607625.tif 000012
【図１０】
0006607625.tif 000013
【図１１】
0006607625.tif 000014
【図１２】
0006607625.tif 000015
【図１３】
0006607625.tif 000016
【図１４】
0006607625.tif 000017
【図１５】
0006607625.tif 000018
【図１６Ａ】
0006607625.tif 000019
【図１６Ｂ】
0006607625.tif 000020
【図１７】
0006607625.tif 000021
【図１８】
0006607625.tif 000022
【図１９】
0006607625.tif 000023
【図２０】
0006607625.tif 000024
【図２１】
0006607625.tif 000025